(57)【要約】【課題】熱交換器と底フレームとの間の腐食を抑制させる部材を用いる場合であっても当該部材の位置を定めることが可能な冷凍装置の室外ユニットを提供する。【解決手段】室外熱交換器２０と、ユニットケーシング１０の底フレーム１２とは、異なる種類の金属によって構成されている。コーナースペーサ６０は、設置状態における室外熱交換器２０と底フレーム１２との間に介在しており、絶縁性を有している。コーナースペーサ６０は、室外熱交換器２０を載置するための本体部６１と、当該本体部６１から延伸した部分でありコーナースペーサ６０の底フレーム１２に対する位置を定めるための位置決め部６２と、を有している。【選択図】図１２
2020204462.tif 000002
【特許請求の範囲】
【請求項１】
金属によって構成されている熱交換器（２０）と、
前記熱交換器とは異なる種類の金属によって構成されている底フレーム（１２）を有し、前記熱交換器を内部に収容する筐体（１０）と、
設置状態における前記熱交換器と前記底フレームとの間に介在する絶縁性を有するスペーサ（６０、７０、８０）と、
を備え、
（Ａ）前記底フレームは、第１部分（５１、５３、５５）と第２部分（５２、５４、５６）を有し、
前記スペーサは、前記熱交換器が上に載置する本体部（６１、７１、８１）と、前記本体部から延伸した部分である位置決め部（６２、７２、８２）と、を有し、
前記位置決め部（６２、７２、８２）は、前記本体部側とは反対側を向いており互いに非平行である第１接触面（６４、７７、８３）および第２接触面（６５、７８、８４）を有しており、前記第１接触面（６４、７７、８３）は前記底フレームの前記第１部分（５１、５３、５５）と接し、前記第２接触面（６５、７８、８４）は前記底フレームの前記第２部分（５２、５４、５６）と接しているか、
（Ｂ）前記底フレームから上方に向けて膨出した底フレーム膨出部（４０）を前記底フレームが有しており、前記位置決め部が上面視において少なくとも３方向から前記底フレーム膨出部を覆う形状を有しているか、
（Ｃ）前記位置決め部から下方に向けて膨出した位置決め膨出部（２６９）を前記位置決め部が有しており、前記底フレームが上面視において少なくとも３方向から前記位置決め膨出部を覆う形状を有しているか、
のいずれかである、
冷凍装置（１）の室外ユニット（２）。
【請求項２】
前記底フレームは、底部分（１２ａ）と、前記底部分の周縁に立設された側壁部分（１２ｂ、５１、５２、５３、５４）と、を有し、
前記スペーサの前記位置決め部（６２、７２、８２）は、前記底フレームの側壁部分（１２ｂ、５１、５２、５３、５４）と接する部分を有している、
請求項１に記載の冷凍装置の室外ユニット。
【請求項３】
前記底フレームは、底部分（１２ａ）と、前記底部分の周縁に立設された側壁部分（１２ｂ、５３、５４）と、を有し、
前記位置決め部（７２）は、前記底フレームの前記側壁部分（５３、５４）よりも高い位置まで延びた部分（７５）を有している、
請求項１に記載の冷凍装置の室外ユニット。
【請求項４】
前記底フレームが、前記底フレーム膨出部（４０）を有しており、
前記位置決め部（６２）が、上面視において少なくとも３方向から前記底フレーム膨出部分を覆う形状を有している、
請求項１から３のいずれか１項に記載の冷凍装置の室外ユニット。
【請求項５】
前記筐体は、前記底フレームに対して締結部材（９８、９９）によって取り付けられる側フレーム（１３、１４）をさらに有しており、
前記スペーサは、設置状態の上面視において前記締結部材の一部と重複する位置に設けられており、
前記スペーサは、前記締結部材との接触を回避するための凹部（６２ｘ、８７）を有している、
請求項１から４のいずれか１項に記載の冷凍装置の室外ユニット。
【請求項６】
前記スペーサは、下面（６１ｂ）における排水用の溝（６１ｃ）と上下方向に貫通した排水用の孔（８１ｂ、８１ｃ）との少なくともいずれか一方を有している、
請求項１から５のいずれか１項に記載の冷凍装置の室外ユニット。
【発明の詳細な説明】
【技術分野】
【０００１】
本発明は、冷凍装置の室外ユニットに関する。
【背景技術】
【０００２】
従来より、空気調和装置の室外機等において、底板とその上に載置されている熱交換器とが異種金属で構成されている場合に、水などが両者の間に介在することで電気的な腐食が生じることが知られている。
【０００３】
これに対して、例えば、特許文献１（特開２０１０−１５１３８７号公報）に記載の空気調和機の室外機では、底板と熱交換器との間に絶縁性のスペーサを配置することで、腐食を抑制することを提案している。
【発明の開示】
【発明が解決しようとする課題】
【０００４】
ここで、上述のような特許文献１に示された室外機では、底板と熱交換器との間に介在するスペーサは、単に底板の上に配置されているに過ぎず、底板に対するスペーサの位置が固定されていない。このため、室外機の搬送時等のように振動が加わる場合には、スペーサが底板に対して移動してしまい、熱交換器の位置が安定せず、熱交換器の接続箇所等に応力負荷がかかってしまうおそれがある。
【０００５】
また、上述の特許文献１に記載の例には、熱交換器の伝熱管が延びている方向と平行に凸部が延びている底板に対して、同じく長手方向に凹部が延びているスペーサを嵌め込んでいる例が紹介されている。ところが、この場合においても、やはり振動によってスペーサが当該長手方向に平行な方向に移動してしまうおそれがある。
【０００６】
本発明は上述した点に鑑みてなされたものであり、本発明の課題は、熱交換器と底フレームとの間の腐食を抑制させる部材を用いる場合であっても当該部材の位置を定めることが可能な冷凍装置の室外ユニットを提供することにある。
【課題を解決するための手段】
【０００７】
第１観点に係る冷凍装置の室外ユニットは、熱交換器と、筐体と、スペーサと、を備えている。熱交換器は、金属によって構成されている。筐体は、熱交換器とは異なる種類の金属によって構成されている底フレームを有しており、熱交換器を内部に収容する。スペーサは、設置状態における熱交換器と底フレームとの間に介在しており、絶縁性を有している。底フレームは、第１部分と第２部分を有している。スペーサは、熱交換器が上に載置する本体部と、本体部から延伸した部分である位置決め部と、を有している。そして、冷凍装置の室外ユニットは、少なくとも以下の（Ａ）、（Ｂ）、（Ｃ）のいずれかである。（Ａ）では、位置決め部は、第１接触面および第２接触面を有している。第１接触面および第２接触面は、本体部側とは反対側を向いており、互いに非平行である。第１接触面は底フレームの第１部分と接し、第２接触面は底フレームの第２部分と接している。（Ｂ）では、底フレームから上方に向けて膨出した底フレーム膨出部を底フレームが有しており、位置決め部が上面視において少なくとも３方向から底フレーム膨出部を覆う形状を有している。（Ｃ）では、位置決め部から下方に向けて膨出した位置決め膨出部を位置決め部が有しており、底フレームが上面視において少なくとも３方向から位置決め膨出部を覆う形状を有している。
【０００８】
なお、（Ｂ）、（Ｃ）における「３方向」について説明すると、（Ｂ）の位置決め部が上面視において少なくとも３方向から底フレーム膨出部を覆う場合には、当該３方向のうちの各方向を法線とする３つの面によって底フレーム膨出部が囲まれることになる。また、（Ｃ）の底フレームが上面視において少なくとも３方向から位置決め膨出部を覆う場合には、当該３方向のうちの各方向を法線とする３つの面によって位置決め膨出部が囲まれることになる。ここで、３つの面によって底フレーム膨出部が囲まれる場合や３つの面によって位置決め膨出部が囲まれる場合は、曲面と曲面で接していてもよいし、曲面と平面で接していてもよいし、曲面と点（例えば突起形状の先端部分）で接していてもよいし、平面と点で接触していてもよいし、平面と平面で接触していてもよいが、なかでも平面と平面で接触している方が好ましい。また、これらの３方向のそれぞれにおいて接触の仕方は互いに同じであっても異なっていてもよく、例えば、３方向のうちの２方向が曲面と曲面、平面と平面または曲面と平面で接触しており、他の１方向が曲面と点又は平面と点で接触していてもよい。
【０００９】
なお、筐体と熱交換器はそれぞれ一種類の金属によって構成されている必要はなく、特に筐体と熱交換器とが互いに近接している部分が異なる金属によって構成されていてよい。
【００１０】
この冷凍装置の室外ユニットでは、筐体と熱交換器とが異なる種類の金属によって構成されているが、両者の間に絶縁性を有するスペーサが配置されている。このため、互いに両者の電気的な腐食を抑制することができている。しかも、スペーサは、熱交換器が載置される本体部から延伸した位置決め部を有しており、底フレームに対するスペーサの位置を定めることができる。これにより、室外ユニットの搬送時等において、位置決め部の第１接触面が底フレームの第１部分との接触面においてずれを生じさせる方向に力を受けたとしても、位置決め部における第１接触面と非平行な第２接触面が底フレームの第２部分と接していることで、スペーサのずれを抑制させることができる。特に、スペーサが本体側に移動しにくい構造下で用いられる場合や、位置決め部の第１接触面と第２接触面がそれぞれ底フレームの第１部分と第２部分に押し当てられるようにスペーサが設けられている場合には、特に当該ずれを抑制させることができる。したがって、熱交換器と底フレームとの間の腐食を抑制しつつ、底フレームに対するスペーサの移動も抑制することができる。
【００１１】
第２観点に係る冷凍装置の室外ユニットは、第１観点に係る冷凍装置の室外ユニットであって、底フレームは、底部分と、底部分の周縁に立設された側壁部分と、を有している。スペーサの位置決め部は、底フレームの側壁部分と接する部分を有している。
【００１２】
この冷凍装置の室外ユニットでは、スペーサの位置決め部が底フレームの周縁に立設された側壁部分に接する部分を有していることから、スペーサのずれをより効果的に抑制させることが可能になる。
【００１３】
第３観点に係る冷凍装置の室外ユニットは、第１観点または第２観点に係る冷凍装置の室外ユニットであって、底フレームは、底部分と、底部分の周縁に立設された側壁部分と、を有している。位置決め部は、底フレームの側壁部分よりも高い位置まで延びた部分を有している。
【００１４】
この冷凍装置の室外ユニットでは、位置決め部が、底フレームの側壁部分よりも高い位置まで延びた部分を有しているため、熱交換器を底フレームに設置する際に、熱交換器の底部分はスペーサの位置決め部の上方部分に当たることで底フレームの側壁部分の上端に当たることが避けられる。これにより、熱交換器の底部分が底フレームの側壁部分に当たることによる損傷を抑制することが可能になる。
【００１５】
第４観点に係る冷凍装置の室外ユニットは、第１観点から第３観点のいずれかに係る冷凍装置の室外ユニットであって、底フレームが、底フレーム膨出部を有している。位置決め部が、上面視において少なくとも３方向から底フレーム膨出部を覆う形状を有している。
【００１６】
この冷凍装置の室外ユニットでは、底フレームの上方に向けて膨出した底フレーム膨出部を上面視において少なくとも３方向から覆うことで、設置状態の上面視における底フレームに対するスペーサの相対移動を規制している。このため、スペーサは底フレームに対して重力に逆らうように上方に持ち上げられなければ移動しないため、スペーサの移動を十分に規制することが可能になる。
【００１７】
第５観点に係る冷凍装置の室外ユニットは、第１観点から第４観点のいずれかに係る冷凍装置の室外ユニットであって、筐体は、底フレームに対して締結部材によって取り付けられる側フレームをさらに有している。スペーサは、設置状態の上面視において締結部材の一部と重複する位置に設けられている。スペーサは、締結部材との接触を回避するための凹部を有している。
【００１８】
この冷凍装置の室外ユニットでは、底フレームと側フレームとを締結部材によって固定する場合において、締結部材がスペーサの近傍にまで延び出している場合であっても、スペーサが凹部を有していることにより締結部材との干渉を抑制させることが可能になる。
【００１９】
第６観点に係る冷凍装置の室外ユニットは、第１観点から第５観点のいずれかに係る冷凍装置の室外ユニットであって、スペーサは、下面における排水用の溝と上下方向に貫通した排水用の孔との少なくともいずれか一方を有している。
【００２０】
この冷凍装置の室外ユニットでは、熱交換器を種類の異なる金属で構成されている底フレームに対してスペーサを介して固定している場合であっても、電気的な腐食を抑制させつつ、当該スペーサにおいて排水用の水を通過させることが可能になる。
【発明の効果】
【００２１】
第１観点に係る冷凍装置の室外ユニットでは、熱交換器と底フレームとの間の腐食を抑制しつつ、底フレームに対するスペーサの移動も抑制することができる。
【００２２】
第２観点に係る冷凍装置の室外ユニットでは、スペーサのずれをより効果的に抑制させることが可能になる。
【００２３】
第３観点に係る冷凍装置の室外ユニットでは、熱交換器の底部分が底フレームの側壁部分に当たることによる損傷を抑制することが可能になる。
【００２４】
第４観点に係る冷凍装置の室外ユニットでは、スペーサの移動を十分に規制することが可能になる。
【００２５】
第５観点に係る冷凍装置の室外ユニットでは、締結部材とスペーサとの干渉を抑制させることが可能になる。
【００２６】
第６観点に係る冷凍装置の室外ユニットでは、電気的な腐食を抑制させつつ、当該スペーサにおいて排水用の水を通過させることが可能になる。
【図面の簡単な説明】
【００２７】
【図１】一実施形態に係る空気調和装置の構成の概要を説明するための回路図。
【図２】空調室外機の外観を示す斜視図。
【図３】空調室外機の各機器の配置を説明する概略平面図。
【図４】底フレームの概略外観斜視図。
【図５】室外熱交換器の概略外観斜視図。
【図６】室外熱交換器における伝熱フィンの扁平多穴管に対する取付状態を示す概略断面図。
【図７】底フレームの平面視概略構成図。
【図８】底フレームにスペーサが配置された状態の平面視概略構成図。
【図９】底フレーム上に配置されたスペーサ上に室外熱交換器が載置された状態の上面視概略構成図。
【図１０】底フレームの角部分周辺の概略外観斜視図。
【図１１】コーナースペーサの背面側の概略外観斜視図。
【図１２】底フレームに対してコーナースペーサが取り付けられている状態の概略外観斜視図。
【図１３】底フレームに対して前方スペーサが取り付けられている状態の外観斜視図。
【図１４】底フレームに対して後方スペーサが取り付けられている状態の外観斜視図。
【図１５】後方スペーサの概略外観斜視図。
【図１６】他の実施形態に係るコーナースペーサを用いた設置状態の上面視概略構成図。
【図１７】他の実施形態に係るコーナースペーサを用いた設置状態の図１６におけるＸ−Ｘ断面を含む概略外観斜視図。
【図１８】他の実施形態に係るコーナースペーサの裏面側の概略外観斜視図。
【図１９】他の実施形態に係るコーナースペーサの上面側の概略外観斜視図。
【発明を実施するための形態】
【００２８】
（１）空気調和装置１の全体構成
図１は、本発明の一実施形態に係る冷凍装置としての空気調和装置１の構成の概要を示す回路図である。
【００２９】
空気調和装置１は、蒸気圧縮式の冷凍サイクル運転を行うことによって空調室内機３が設置されている建物内の冷暖房に使用される装置であり、熱源側ユニットとしての空調室外機２と、利用側ユニットとしての空調室内機３とが冷媒連絡配管６，７で接続されて構成されている。
【００３０】
空調室外機２と空調室内機３と冷媒連絡配管６，７とが接続されて構成される冷媒回路は、圧縮機９１、四路切換弁９２、室外熱交換器２０、膨張弁３３、室内熱交換器４およびアキュムレータ９３などが冷媒配管で接続されることで構成されている。この冷媒回路内には冷媒が封入されており、冷媒が圧縮され、冷却され、減圧され、加熱・蒸発された後に、再び圧縮されるという冷凍サイクル運転が行われるようになっている。冷媒としては、例えば、Ｒ４１０Ａ、Ｒ３２、Ｒ４０７Ｃ、Ｒ２２、Ｒ１３４ａなどから選択されたものが用いられる。
【００３１】
（２）空気調和装置１の詳細構成
（２−１）空調室内機３
空調室内機３は、室内の壁面に壁掛け等により、又は、ビル等の室内の天井に埋め込みや吊り下げ等により設置される。空調室内機３は、室内熱交換器４と、室内ファン５とを有している。室内熱交換器４は、例えば伝熱管と多数のフィンとにより構成されたクロスフィン式のフィン・アンド・チューブ型熱交換器であり、冷房運転時には冷媒の蒸発器として機能して室内空気を冷却し、暖房運転時には冷媒の凝縮器として機能して室内空気を加熱する熱交換器である。
【００３２】
（２−２）空調室外機２
空調室外機２は、ビル等の室外に設置されており、冷媒連絡配管６，７を介して空調室内機３に接続される。空調室外機２は、図２および図３に示されているように、略直方体状のユニットケーシング１０を有している。
【００３３】
図３に示されているように、空調室外機２は、ユニットケーシング１０の内部空間を鉛直方向に延びる仕切板１８で二つに分割することによって送風機室Ｓ１と機械室Ｓ２とを形成した構造（いわゆる、トランク型構造）を有するものである。空調室外機２は、ユニットケーシング１０の送風機室Ｓ１内に配置された室外熱交換器２０および室外ファン９５を有しており、ユニットケーシング１０の機械室Ｓ２内に配置された圧縮機９１、四路切換弁９２、アキュムレータ９３、膨張弁３３、ガス冷媒配管３１、および、液冷媒配管３２を有している。
【００３４】
ユニットケーシング１０は、底フレーム１２と、天板１１と、送風機室側の側板１３と、機械室側の側板１４と、送風機室側前板１５と、機械室側前板１６と、を備えて、筐体を構成している。このユニットケーシング１０を構成している底フレーム１２と、天板１１と、送風機室側の側板１３と、機械室側の側板１４と、送風機室側前板１５と、機械室側前板１６とは、いずれもアルミニウムおよびアルミニウム合金以外の同種又は異種の金属によって構成されており、本実施形態においては鉄を主成分として構成される合金が用いられている。なお、これらの金属は表面がメッキ加工されていてもよく、その場合にはアルミニウムおよびアルミニウム合金以外の金属によってメッキ加工される。
【００３５】
以下、送風機室側前板１５および機械室側前板１６が広がる面の法線方向であって、送風機室側前板１５および機械室側前板１６に対してユニットケーシング１０の内部とは反対側の向きを、特に断らない限り、「前」とし、その反対側を「後」とする。また、「左」、「右」、「上」、「下」は、いずれも設置状態における当該前側から見た場合における向きを意味することとする。
【００３６】
底フレーム１２は、底フレームの概略外観斜視図である図４に示すように、ユニットケーシング１０の底を構成する底部分１２ａと、底部分１２ａの周縁において立設するように設けられた側壁部分１２ｂとを有している。送風機室側の側板１３、機械室側の側板１４、送風機室側前板１５、および、機械室側前板１６は、いずれも下端部分が底フレーム１２の側壁部分１２ｂの外側と面接触した状態でビス等によって固定されている。
【００３７】
空調室外機２は、ユニットケーシング１０の背面および側面の一部からユニットケーシング１０内の送風機室Ｓ１に室外空気を吸い込んで、吸い込んだ室外空気をユニットケーシング１０の前面から吹き出すように構成されている。具体的には、ユニットケーシング１０内の送風機室Ｓ１に対する吸込口１０ａおよび吸込口１０ｂが、送風機室側の側板１３の背面側の端部１３ａと機械室側の側板１４の送風機室Ｓ１側の端部１４ａとにわたって形成されている。また、吹出口１０ｃは、送風機室側前板１５に設けられており、その前側がファングリル１５ａによって覆われている。
【００３８】
圧縮機９１は、例えば圧縮機用モータによって駆動される密閉式圧縮機であり、インバータ制御によって運転容量を変化させることができるよう構成されている。
【００３９】
四路切換弁９２は、冷媒の流れの方向を切り換えるための機構である。冷房運転時には、四路切換弁９２は、圧縮機９１の吐出側の冷媒配管と室外熱交換器２０の一端（ガス側端部）から延びるガス冷媒配管３１とを接続するとともに、アキュムレータ９３を介してガス冷媒の冷媒連絡配管７と圧縮機９１の吸入側の冷媒配管とを接続する（図１の四路切換弁９２の実線を参照）。また、暖房運転時には、四路切換弁９２は、圧縮機９１の吐出側の冷媒配管とガス冷媒の冷媒連絡配管７とを接続するとともに、アキュムレータ９３を介して圧縮機９１の吸入側と室外熱交換器２０の一端（ガス側端部）から延びるガス冷媒配管３１とを接続する（図１の四路切換弁９２の破線を参照）。
【００４０】
室外熱交換器２０は、送風機室Ｓ１に上下方向（鉛直方向）に立てて配置され、吸込口１０ａ，１０ｂに対向している。室外熱交換器２０は、アルミニウム製の熱交換器であり、本実施形態では設計圧力が３ＭＰａ〜４ＭＰａ程度のものを用いている。室外熱交換器２０は、一端（ガス側端部）から、四路切換弁９２と接続されるように、ガス冷媒配管３１が延びている。また、室外熱交換器２０の他端（液側端部）から、膨張弁３３に接続されるように、液冷媒配管３２が延びている。
【００４１】
アキュムレータ９３は、四路切換弁９２と圧縮機９１との間に接続されている。アキュムレータ９３は、冷媒を気相と液相とに分ける気液分離機能を具備している。アキュムレータ９３に流入する冷媒は、液相と気相とに分かれ、上部空間に集まる気相の冷媒が圧縮機９１へと供給される。
【００４２】
室外ファン９５は、室外熱交換器２０を流れる冷媒との間で熱交換をさせるための室外空気を、室外熱交換器２０に対して供給する。
【００４３】
膨張弁３３は、冷媒回路において冷媒を減圧するための機構であり、開度調整が可能な電動弁である。膨張弁３３は、冷媒圧力や冷媒流量の調節を行うために、室外熱交換器２０と液冷媒の冷媒連絡配管６の間に設けられ、冷房運転時および暖房運転時のいずれにおいても、冷媒を膨張させる機能を有している。
【００４４】
室外ファン９５は、送風機室Ｓ１に室外熱交換器２０に対向して配置されている。室外ファン９５は、ユニット内に室外空気を吸入して、室外熱交換器２０において冷媒と室外空気との間で熱交換を行わせた後に、熱交換後の空気を室外に排出する。この室外ファン９５は、室外熱交換器２０に供給する空気の風量を可変することが可能なファンであり、例えば、ＤＣファンモータ等からなるモータによって駆動されるプロペラファン等である。
【００４５】
（３）空気調和装置１の動作
（３−１）冷房運転
冷房運転時は、四路切換弁９２が図１の実線で示される状態、すなわち、圧縮機９１の吐出側がガス冷媒配管３１を介して室外熱交換器２０のガス側に接続され、かつ、圧縮機９１の吸入側がアキュムレータ９３、冷媒連絡配管７を介して室内熱交換器４のガス側に対して接続された状態となっている。膨張弁３３は、室内熱交換器４の出口（すなわち、室内熱交換器４のガス側）における冷媒の過熱度、又は室外熱交換器２０の出口（すなわち、室外熱交換器２０の液側）における過冷却度が一定になるように開度調節される。この冷媒回路の状態で、圧縮機９１、室外ファン９５および室内ファン５を運転すると、低圧のガス冷媒は、圧縮機９１で圧縮されることで高圧のガス冷媒となる。この高圧のガス冷媒は、四路切換弁９２を経由して室外熱交換器２０に送られる。その後、高圧のガス冷媒は、室外熱交換器２０において、室外ファン９５によって供給される室外空気と熱交換を行って凝縮して高圧の液冷媒となる。そして、過冷却状態になった高圧の液冷媒は、室外熱交換器２０から膨張弁３３に送られる。膨張弁３３によって圧縮機９１の吸入圧力近くまで減圧されて低圧の気液二相状態となった冷媒は、室内熱交換器４に送られ、室内熱交換器４において室内空気と熱交換を行って蒸発して低圧のガス冷媒となる。
【００４６】
この低圧のガス冷媒は、冷媒連絡配管７を経由して空調室外機２に送られ、再び、圧縮機９１に吸入される。このように冷房運転では、空気調和装置１は、室外熱交換器２０を圧縮機９１において圧縮される冷媒の凝縮器として、かつ、室内熱交換器４を室外熱交換器２０において凝縮された冷媒の蒸発器として機能させる。
【００４７】
なお、冷房運転時の冷媒回路では、膨張弁３３の過熱度制御が行われつつ、設定温度となるように（冷房負荷を処理できるように）圧縮機９１がインバータ制御されている。
【００４８】
（３−２）暖房運転
暖房運転時は、四路切換弁９２が図１の破線で示される状態、すなわち、圧縮機９１の吐出側が冷媒連絡配管７を介して室内熱交換器４のガス側に接続され、かつ、圧縮機９１の吸入側がガス冷媒配管３１を介して室外熱交換器２０のガス側に接続された状態となっている。膨張弁３３は、室内熱交換器４の出口における冷媒の過冷却度が過冷却度目標値で一定になるように開度調節されるようになっている（過冷却度制御）。この冷媒回路の状態で、圧縮機９１、室外ファン９５および室内ファン５を運転すると、低圧のガス冷媒は、圧縮機９１に吸入されて圧縮されて高圧のガス冷媒となり、四路切換弁９２、および、冷媒連絡配管７を経由して、空調室内機３に送られる。
【００４９】
そして、空調室内機３に送られた高圧のガス冷媒は、室内熱交換器４において、室内空気と熱交換を行って凝縮して高圧の液冷媒となった後、膨張弁３３を通過する際に、膨張弁３３の弁開度に応じて減圧される。この膨張弁３３を通過した冷媒は、室外熱交換器２０に流入する。そして、室外熱交換器２０に流入した低圧の気液二相状態の冷媒は、室外ファン９５によって供給される室外空気と熱交換を行って蒸発して低圧のガス冷媒となり、四路切換弁９２を経由して、再び、圧縮機９１に吸入される。このように暖房運転では、空気調和装置１は、室内熱交換器４を圧縮機９１において圧縮される冷媒の凝縮器として、かつ、室外熱交換器２０を室内熱交換器４において凝縮された冷媒の蒸発器として機能させる。
【００５０】
なお、暖房運転時の冷媒回路では、膨張弁３３の過冷却度制御が行われつつ、設定温度となるように（暖房負荷を処理できるように）圧縮機９１がインバータ制御されている。
【００５１】
（４）室外熱交換器２０の詳細構成
図５に、室外熱交換器２０の概略外観斜視図を示す。また、図６に、伝熱フィン２１ａの扁平多穴管２１ｂに対する取付状態を示す。
【００５２】
室外熱交換器２０は、室外空気と冷媒との熱交換を行わせる熱交換部２１と、この熱交換部２１の一端側に設けられた出入口ヘッダ集合管２６および折返しヘッダ２４と、この熱交換部２１の他端側に設けられた連結ヘッダ２３と、折返しヘッダ２４の下部と折返しヘッダ２４の上部を連結させる連絡部２５と、出入口ヘッダ集合管２６の下方に分流された冷媒を導く分流器２２と、を備えている。
【００５３】
本実施形態において、室外熱交換器２０を構成する各部材は、いずれもアルミニウム製もしくはアルミニウム合金製である。
【００５４】
熱交換部２１は、多数の伝熱フィン２１ａと多数の扁平多穴管２１ｂとで構成されている。伝熱フィン２１ａは、平板部材であり、各伝熱フィン２１ａには水平方向に延びる扁平管挿入用の切り欠き２１ａａが上下方向に並べて複数形成されている。なお、伝熱フィン２１ａは、空気流れの上流側に向けて突出した部分を無数に有するように取り付けられている。
【００５５】
扁平多穴管２１ｂは、伝熱管として機能し、伝熱フィン２１ａと室外空気との間を移動する熱を、内部を流れる冷媒に伝達する。この扁平多穴管２１ｂは、伝熱面となる上下の平面部と、冷媒が流れる複数の流入口２１ｂａを有している。このような形状を有する扁平多穴管２１ｂは、複数設けられており、これら複数が鉛直方向に所定の間隔をあけて配置されている。図６に示すように、これらの複数の扁平多穴管２１ｂには、それぞれ上述した伝熱フィン２１ａの複数の切り欠き２１ａａが嵌め込まれることで伝熱フィン２１ａがロウ付け固定されている。ここで、伝熱フィン２１ａは、複数の扁平多穴管２１ｂに跨がるようにして上下に繋がっているため、伝熱フィン２１ａや扁平多穴管２１ｂで生じた結露水は、伝熱フィン２１ａに沿って下方に滴り落ち、底フレーム１２の排水面１２ｙを伝うように流れた後、排水面１２ｙに形成されている排水口１２ｘを通じて外部に排出される。
【００５６】
なお、この熱交換部２１は、室外ファン９５によって生じる空気流れ方向（筐体の背面および左側面側から筐体の正面のファングリル１５ａに向かう流れ）において、風上側を縁取るように設けられた風上側熱交換部２７と、風下側を縁取るように設けられた風下側熱交換部２８と、を有しており、２列並ぶように構成されている。風上側熱交換部２７は、風上側を縁取るように延びており上下方向に並んだ複数の扁平多穴管２１ｂと、この扁平多穴管２１ｂに固定された伝熱フィン２１ａとを有している。また、風下側熱交換部２８は、同様に、風下側を縁取るように延びており上下方向に並んだ複数の扁平多穴管２１ｂと、この扁平多穴管２１ｂに固定された伝熱フィン２１ａとを有している。
【００５７】
この風上側熱交換部２７と風下側熱交換部２８を有する熱交換部２１は、上面視において、背面側に沿うように左右に伸びる部分と、送風機室側の側方において前後に伸びる部分と、これらを繋ぐ湾曲部分と、によって構成されている。
【００５８】
分流器２２は、液冷媒配管３２と出入口ヘッダ集合管２６の下方部分とを連結させるように接続されており、例えば室外熱交換器２０が冷媒の蒸発器として機能する際には液冷媒配管３２から流れてきた冷媒を高さ方向に分流させて出入口ヘッダ集合管２６の下方部分に導く。
【００５９】
出入口ヘッダ集合管２６は、鉛直方向に延びる筒状部材であり、室外熱交換器２０への冷媒の入口側部分と出口側部分を上下に分けて有している。出入口ヘッダ集合管２６の下方部分は、上述のように液冷媒配管３２に対して分流器２２を介して接続されている。出入口ヘッダ集合管２６の上方部分は、ガス冷媒配管３１に対して接続されている。出入口ヘッダ集合管２６は、略円筒形状に形成されており、上方部分の内部空間と下方部分の内部空間とが内部に設けられたバッフル（図示せず）によって上下に仕切られている。また、出入口ヘッダ集合管２６の下方部分は、分流器２２によって分流された冷媒の分布が維持されるように、複数のバッフルによって上下に仕切られている。すなわち、分流器２２によって上下に分けられた各冷媒流れそれぞれを分けたままで熱交換部２１に流せるように構成されている。
【００６０】
以上の構成により、室外熱交換器２０が冷媒の蒸発器として機能する場合には、液冷媒配管３２と分流器２２と出入口ヘッダ集合管２６の下方部分を介して熱交換部２１に流入して蒸発した冷媒は、出入口ヘッダ集合管２６の上方部分とガス冷媒配管３１を介して室外熱交換器２０の外部に流出していくことになる。なお、室外熱交換器２０が冷媒の放熱器として機能している場合には、上記とは逆の流れになる。
【００６１】
連結ヘッダ２３は、室外熱交換器２０のうち出入口ヘッダ集合管２６や折返しヘッダ２４が設けられている側（図３でいう左上側）の端部とは反対側（図３でいう右下側）に設けられており、風上側熱交換部２７の扁平多穴管２１ｂを流れた冷媒を同じ高さ位置の風下側熱交換部２８の扁平多穴管２１ｂに導くか、風下側熱交換部２８の扁平多穴管２１ｂを流れた冷媒を同じ高さ位置の風上側熱交換部２７の扁平多穴管２１ｂに導くように構成されている。この連結ヘッダ２３では、冷媒の上下方向の移動は生じず、室外熱交換器２０内における冷媒の流路を同じ高さ位置で単に繋ぐ役割を果たしている。
【００６２】
折返しヘッダ２４は、内部が上下方向に複数の空間に仕切られている。このうち、下方の複数の空間は、風下側熱交換部２８のうちの下方の複数の扁平多穴管２１ｂがそれぞれ接続されている。また、上方の複数の空間は、風下側熱交換部２８のうちの上方の複数の扁平多穴管２１ｂがそれぞれ接続されている。
【００６３】
連絡部２５は、折返しヘッダ２４内において上下に仕切られた複数の空間のうち、上方の複数の空間と、下方の複数の空間と、を一対一に接続させる複数の連絡配管を有して構成されている。
【００６４】
この折返しヘッダ２４および連絡部２５の構成によって、例えば室外熱交換器２０が冷媒の蒸発器として機能している場合には、風下側熱交換部２８のうちの下方の複数の扁平多穴管２１ｂを流れて来た冷媒を、風下側熱交換部２８のうちの上方の複数の扁平多穴管２１ｂに流し出して折返しさせることが可能になっている。
【００６５】
（５）底フレーム１２に対する室外熱交換器２０の配置構造
図７に、底フレーム１２の平面視概略構成図を示す。図８に、底フレーム１２にスペーサ６０、７０、８０が配置された状態の平面視概略構成図を示す。図９に、底フレーム１２上に配置されたスペーサ６０、７０、８０上に室外熱交換器２０が載置された状態の平面視概略構成図を示す。
【００６６】
ここでは、これらの図面を参照しつつ、底フレーム１２に対する室外熱交換器２０の配置構造を説明する。
【００６７】
室外熱交換器２０は、図７、図８、図９に示すように、底フレーム１２の上に配置されたスペーサ６０、７０、８０上に載置される。
【００６８】
スペーサ６０、７０、８０は、コーナースペーサ６０と、前方スペーサ７０と、後方スペーサ８０と、を有している。これらのコーナースペーサ６０と、前方スペーサ７０と、後方スペーサ８０と、はいずれも絶縁性の部材によって構成されており、本実施形態ではゴム（具体的にはクロロプレンゴム）によって構成されている。コーナースペーサ６０は、室外熱交換器２０の湾曲部分のうち前方側の部分の下方に配置されている。前方スペーサ７０は、室外熱交換器２０のうちの前方送風機室側の端部の下方に配置されている。後方スペーサ８０は、室外熱交換器２０のうちの出入口ヘッダ集合管２６や折返しヘッダ２４が設けられている側の端部である後方機会室側の端部に配置されている。
【００６９】
ここで、図７に示すように、底フレーム１２は、送風機室側の側方および後方にＬ字状に広がっており、底部分１２ａのうちで特に低い部分を構成している排水面１２ｙ（図７においてハッチングで示す部分）を有している。この排水面１２ｙには、所定の位置において板厚方向に貫通した複数の排水口１２ｘが設けられている。この排水口１２ｘによって、室外熱交換器２０において生じた結露水を外部に排水させることが可能になっている。
【００７０】
（５−１）コーナースペーサ６０
図１０に、底フレーム１２の角部分周辺の概略外観斜視図を示す。図１１に、コーナースペーサ６０の背面側の概略外観斜視図を示す。図１２に、底フレーム１２に対してコーナースペーサ６０が取り付けられている状態の概略外観斜視図を示す。
【００７１】
底フレーム１２には、以下に説明するように底部分１２ａの板厚方向（上下方向）に突出もしくは陥没した凹凸形状が形成されている。ここで、底部分１２ａの板厚はいずれの部分においても概ね均一であり、底部分１２ａの上面において上方に膨出した形状部分は底部分１２ａの下面側からみると凹んだ形状となっており、逆に、底部分１２ａの上面において下方に凹んだ形状部分は底部分１２ａの下面側からみると膨出した形状となっている。
【００７２】
図１０に示すように、底フレーム１２の角部分周辺には、排水面１２ｙの一部分から左後方に向かうにつれて上方に位置するように広がった内側傾斜面４８が形成されており、当該内側傾斜面４８の上端高さ位置において略三角形状に広がった角平面４９が形成されている。当該角平面４９には、右前面側付近においてさらに上方に膨出した底フレーム膨出部４０が形成されている。なお、この底フレーム膨出部４０は、下方から見ると底フレーム１２の一部を上方に凹ませた形状となっているため、空調室外機２を運搬する際に指を入れることのできる取手として機能させることも可能になっている。
【００７３】
底フレーム膨出部４０の上端には、水平方向に広がる膨出上面４０ａが形成されている。底フレーム膨出部４０は、いずれの側方から見ても、上方に向かうにつれて幅方向の長さが短くなるように構成されており、角平面４９と膨出上面４０ａとを繋ぐ第１膨出傾斜面４１、第２膨出傾斜面４２、および、第３膨出傾斜面４３を有している。第１膨出傾斜面４１は、底フレーム膨出部４０の後側の傾斜面を構成しており、法線が後ろ上方を向くように広がっている。第２膨出傾斜面４２は、底フレーム膨出部４０の左側の傾斜面を構成しており、法線が左上方を向くように広がっている。第３膨出傾斜面４３は、底フレーム膨出部４０の右前側の傾斜面を構成しており、法線が右前上方を向くように広がっている。これらの第１膨出傾斜面４１、第２膨出傾斜面４２、および、第３膨出傾斜面４３は、いずれも互いに非平行の関係にあり、いずれも曲面を介してなだらかに繋がっている。
【００７４】
この第１膨出傾斜面４１、第２膨出傾斜面４２、および、第３膨出傾斜面４３は、上面視において略三角形状となるように構成されており、これらの各傾斜面のそれぞれが、各傾斜面の法線方向からコーナースペーサ６０の位置決め部６２の裏面側によって覆われることになる。また、第１膨出傾斜面４１、第２膨出傾斜面４２、および、第３膨出傾斜面４３の各傾斜面の水平面に対する角度（底フレーム膨出部４０の下面側における水平面に対する角度）は特に限定されず、例えば、３０度以上１２０度以下程度であることが好ましく、本実施形態では６０度程度となっている。
【００７５】
また、底フレーム１２の角部分周辺には、上述した周縁において立設された側壁部分１２ｂである第１コーナー側壁５１、および、第２コーナー側壁５２が形成されている。第１コーナー側壁５１は、法線が前後方向を向くように広がっている。第２コーナー側壁５２は、法線が左右方向を向くように広がっている。第１コーナー側壁５１の左側端部と第２コーナー側壁５２の後側端部とは、曲面によってなだらかに繋がれている。第１コーナー側壁５１および第２コーナー側壁５２の送風機室内側の面は、互いに非平行の関係にある。これらの第１コーナー側壁５１および第２コーナー側壁５２の送風機室内側の面は、それぞれが、コーナースペーサ６０の位置決め部６２の端面に当接することで、コーナースペーサ６０の位置を決めている。なお、第１コーナー側壁５１には、送風機室側の側板１３の後側端部の下方部分が板厚方向に貫通する螺子９８によって螺着固定される（図では送風機室側の側板１３を省略して示している。）。
【００７６】
コーナースペーサ６０は、図１１、図１２に示すように、本体部６１と、位置決め部６２を有している。本体部６１は、排水面１２ｙのうち左後ろ側の角部分の上であって排水口１２ｘとは上面視において重複しない位置に配置されている。本体部６１は、室外熱交換器２０の一部を載置させるための水平方向に広がるコーナー載置面６１ａと、排水面１２ｙと接触する下面６１ｂと、を有している。なお、下面６１ｂには、排水面１２ｙが延びる方向に沿うように延びた２本の排水ガイド６１ｃが形成されている。この排水ガイド６１ｃは、下面６１ｂが部分的に上側に凹んだ形状が排水面１２ｙが延びる方向に沿うように延びて構成されている。コーナースペーサ６０の本体部６１の下面には、この排水ガイド６１ｃが形成されているために、底フレーム１２の排水面１２ｙ上において結露水を滞らせることなく排水口１２ｘまで流すことが可能になっている。
【００７７】
位置決め部６２は、位置決め上面６２ａ、位置決め下面６２ｂ、凹部６２ｘ、第１コーナー接触面６４、第２コーナー接触面６５、下方膨出縁部６６、第１被覆面６７、第２被覆面６８、第３被覆面６９、および、連絡傾斜部６３を有している。
【００７８】
位置決め上面６２ａは、設置状態において底フレーム膨出部４０の上側において水平に広がる面であり、コーナー載置面６１ａよりも上側に位置している。位置決め下面６２ｂは、位置決め上面６２ａとは反対側の下方を向いた面であり、設置状態において底フレーム膨出部４０の膨出上面４０ａと対面する面である。凹部６２ｘは、位置決め上面６２ａの縁の一部分が下方に凹んだ形状を有しており、上述の螺子９８による螺着時の螺子９８との緩衝を防ぐことが可能な形状となっている。第１コーナー接触面６４は、位置決め部６２に対して本体部６１側とは反対側を向いた面であり、設置状態において後側を向く面である。第２コーナー接触面６５は、位置決め部６２に対して本体部６１側とは反対側を向いた面であり、設置状態において左を向く面である。これらの第１コーナー接触面６４と第２コーナー接触面６５とは、互いに非平行な関係であり、第１コーナー接触面６４の左側端部と第２コーナー接触面６５の後側端部とがなだらかな曲面によって繋がっている。
【００７９】
第１コーナー接触面６４は設置状態において底フレーム１２の第１コーナー側壁５１と接触し、第２コーナー接触面６５は設置状態において底フレーム１２の第２コーナー側壁５２と接触することで、底フレーム１２に対するコーナースペーサ６０の位置が定められている。
【００８０】
下方膨出縁部６６は、位置決め上面６２ａの下方の縁の一部分を縁取るように位置決め下面６２ｂの周りから下方に延び出した膨出部である。下方膨出縁部６６は、本実施形態では、設置状態における右後ろ側部分以外は、底フレーム膨出部４０の周囲を覆うように構成されている。この下方膨出縁部６６の内側には、第１被覆面６７および第２被覆面６８が形成されている。第１被覆面６７は、法線が位置決め部６２の位置決め下面６２ｂの中央付近下方を向くように傾斜しており、周囲となだらかな曲面を介して繋がっている。この第１被覆面６７は、設置状態において、上述した底フレーム膨出部４０の第１膨出傾斜面４１と面接触する。第２被覆面６８は、第１被覆面６７とは非平行であって法線が位置決め部６２の位置決め下面６２ｂの中央付近下方を向くように傾斜しており、周囲となだらかな曲面を介して繋がっている。この第２被覆面６８は、設置状態において、上述した底フレーム膨出部４０の第２膨出傾斜面４２と面接触する。
【００８１】
また、位置決め部６２は、本体部６１側から伸びて来ている連絡傾斜部６３を有している。連絡傾斜部６３は、連絡傾斜上面６３ａおよび連絡傾斜下面６３ｂを有している。連絡傾斜上面６３ａは、上方において広がっている位置決め上面６２ａと、下方において広がっているコーナー載置面６１ａとを繋ぐ傾斜面である。連絡傾斜上面６３ａは、コーナー載置面６１ａよりも上方に延び出すようにコーナー載置面６１ａに繋がっているため、コーナー載置面６１ａ上に載置された室外熱交換器２０の下端部分によってコーナースペーサ６０が室外熱交換器２０側へ移動することが抑制されている。
【００８２】
連絡傾斜下面６３ｂは、連絡傾斜上面６３ａの裏面を構成しており、設置状態において底フレーム膨出部４０の内側傾斜面４８と面接触することが可能な傾斜角度で広がっている。この連絡傾斜部６３の下面側の位置決め部６２側には、第３被覆面６９が形成されている。第３被覆面６９は、法線が位置決め部６２の位置決め下面６２ｂの中央付近下方を向くように傾斜しており、周囲となだらかな曲面を介して繋がっている。この第３被覆面６９は、設置状態において、上述した底フレーム膨出部４０の第３膨出傾斜面４３と面接触する。
【００８３】
（５−２）前方スペーサ７０
図１３に、底フレーム１２に対して前方スペーサ７０が取り付けられている状態の外観斜視図を示す。
【００８４】
前方スペーサ７０は、図７および図８に示すように、底フレーム１２の左前側端部であって、排水面１２ｙの前側端部よりさらに前側に配置されている。
【００８５】
図１３に示すように、前方スペーサ７０は、室外熱交換器２０が載置される本体部７１と、位置決め部７２を有している。
【００８６】
本体部７１は、水平に広がる前側載置面７１ａと、底フレーム１２の上面と接触している下面７１ｄと、第１排水溝７１ｂおよび第２排水溝７１ｃを有している。前側載置面７１ａの上には、設置状態において室外熱交換器２０の左前側端部の下端（具体的には、室外熱交換器２０の連結ヘッダ２３周辺）が載置される。
【００８７】
第１排水溝７１ｂおよび第２排水溝７１ｃは、いずれも前側載置面７１ａの上面から下方に凹んだ溝が前後方向に延びて構成されている。ここで、図９に示すように、設置状態において、第１排水溝７１ｂは室外熱交換器２０の下方に位置しており、第２排水溝７１ｃは室外熱交換器２０の下方から風下側にずれて配置されている。このため、第１排水溝７１ｂは室外熱交換器２０からの結露水をそのまま受けて排水面１２ｙ側に流し、第２排水溝７１ｃは室外熱交換器２０の風下側に到達した結露水を受けて排水面１２ｙ側に流す。
【００８８】
位置決め部７２は、本体部７１の左前側の縁から上方に延びだした部分であり、底フレーム１２の側壁部分１２ｂである左側壁５３と前側壁５４と当接することで前方スペーサ７０を位置決めさせる部分である。位置決め部７２は、左支持面７３、前支持面７４、上面７５、第１前側接触面７７、および、第２前側接触面７８を有している。
【００８９】
左支持面７３は、位置決め部７２の左端部において室外熱交換器２０と左側壁５３との間に介在するように前後方向に延びた部分のうちの右側を向いた面であり、設置状態において室外熱交換器２０を左側方から支持する。前支持面７４は、位置決め部７２の前端部において室外熱交換器２０と前側壁５４との間に介在するように左右方向に延びた部分のうちの後側を向いた面であり、設置状態において室外熱交換器２０を前側方から支持する。上面７５は、上方を向いた平面であり、設置状態において、左側壁５３および前側壁５４の上端よりもさらに上方に位置している。これにより、底フレーム１２に前方スペーサ７０が設置されたい状態で室外熱交換器２０を前方スペーサ７０の位置決め部７２上に設置しようとする際に、室外熱交換器２０の下端部分が底フレーム１２左側壁５３や前側壁５４に衝突してしまうことを避けることが可能になっている。
【００９０】
第１前側接触面７７は、左支持面７３の反対側であって左側を向いた側面である。第２前側接触面７８は、前支持面７４の反対側であって前側を向いた側面である。設置状態では、位置決め部７２の第１前側接触面７７は底フレーム１２の左側壁５３と当接し、位置決め部７２の第２前側接触面７８は前側壁５４と当接することで、底フレーム１２に対する前方スペーサ７０の位置が定められている。
【００９１】
なお、図９に示すように、前側壁５４の一部には後側に凹んだ凹部５４ａが形成されており、第２前側接触面７８にも設置状態における対応する位置に後側に凹んだ凹部７８ａが形成されている。設置時にこれらの凹部５４ａおよび凹部７８ａが嵌まり合うことで、底フレーム１２に対する前方スペーサ７０の位置をより効果的に定めることができている。
【００９２】
（５−３）後方スペーサ８０
図１４に、底フレーム１２に対して後方スペーサ８０が取り付けられている状態の外観斜視図を示す。
【００９３】
後方スペーサ８０は、図８、図９および図１４に示すように、底フレーム１２の後右側端部であって、排水面１２ｙの右側端部よりさらに右側に配置されている。
【００９４】
図１５の後方スペーサ８０の概略外観斜視図に示すように、後方スペーサ８０は、室外熱交換器２０が載置される本体部８１と、螺子カバー８６と、位置決め部８２と、を有している。
【００９５】
本体部８１は、水平に広がる後側載置面８１ａと、底フレーム１２の上面と接触している下面８１ｄと、本体部８１の板厚方向（上下方向）に貫通した第１排水孔８１ｂおよび第２排水孔８１ｃを有している。後側載置面８１ａの上には、設置状態において室外熱交換器２０の左前側端部（本実施形態では分流器２２）の下端が載置される。第１排水孔８１ｂおよび第２排水孔８１ｃは、いずれも左右方向に延びるように形成されており、設置状態では分流器２２の下方に位置している。第１排水孔８１ｂおよび第２排水孔８１ｃは、分流器２２の周辺で生じた結露水を、排水面１２ｙ側に向けて送り出すことが可能になっている。
【００９６】
螺子カバー８６は、本体部８１の左右方向の中間位置であって後側端部において内部が空洞の凹部８７になるように上方に膨出した形状を有している。なお、ユニットケーシング１０は、図３および図１４に示すように、右後ろ側部分において、機械室側の側板１４の送風機室Ｓ１側の端部１４ａ近傍が底フレーム１２の側壁部分１２ｂに対して螺子９９で固定される。後方スペーサ８０は、螺子カバー８６の内側の凹部８７を有していることで、当該螺子９９によって固定された状態において、螺子９９と緩衝しない。また、螺子９９は、後方スペーサ８０の螺子カバー８６によって覆われるため、他の部材との緩衝も防ぐことができている。
【００９７】
位置決め部８２は、本体部８１の後側の縁に設けられており、第１後側接触面８３と、第２後側接触面８４と、第３後側接触面８５と、を有している。第１後側接触面８３は、位置決め部８２のうち最も右側の後方に位置しており、後側を向いている。第２後側接触面８４は、設置状態において、螺子カバー８６よりも右側に位置しており、第１後側接触面８３の左側端部から左側に向かうにつれて前側に向けて延びるように構成されており、左後方を向いている。第３後側接触面８５は、設置状態において、螺子カバー８６よりも左側に位置しており、左右方向に延びており、後側を向いている。ここで、図１４に示すように、底フレーム１２の側壁部分１２ｂのうち、右後ろ側部分には、僅かに後方に向けて盛り上がっている第１後側壁５５と、第１後側壁５５の左側端部から左に向かうにつれて前側に延びてしている第２後側壁５６と、第２後側壁５６の左端部から左方向に延びた第３後側壁５７と、を有して構成されている。後方スペーサ８０は、位置決め部８２の第１後側接触面８３が底フレーム１２の第１後側壁５５と接し、位置決め部８２の第２後側接触面８４が底フレーム１２の第２後側壁５６と接し、位置決め部８２の第３後側接触面８５が底フレーム１２の第３後側壁５７と接することで、底フレーム１２に対する後方スペーサ８０の位置を定めることができている。
【００９８】
（６）本実施形態の特徴
（６−１）
本実施形態では、室外熱交換器２０と底フレーム１２とが異種金属によって構成されている場合において、これらの間に絶縁性を有するゴムで形成されたコーナースペーサ６０、前方スペーサ７０、後方スペーサ８０が介在している。このため、室外熱交換器２０と底フレーム１２との間の電気的な腐食を抑制することができている。
【００９９】
しかも、コーナースペーサ６０、前方スペーサ７０、および、後方スペーサ８０は、室外熱交換器２０が載置される本体部６１、７１、８１から底フレーム１２の側壁部分１２ｂに接する部分まで延び出した位置決め部６２、７２、８３を有している。これにより、コーナースペーサ６０、前方スペーサ７０、および、後方スペーサ８０の底フレーム１２に対する位置を定めることができる。これにより、空調室外機２の輸送時に振動等を受けたとしても、コーナースペーサ６０、前方スペーサ７０、および、後方スペーサ８０は、室外熱交換器２０と底フレーム１２との間に介在した状態を維持しやすくすることができる。
【０１００】
なお、このようなコーナースペーサ６０、前方スペーサ７０、および、後方スペーサ８０は、両面テープ等の接着媒体を用いることなく底フレーム１２に対して位置を定めることができている。
【０１０１】
また、コーナースペーサ６０、前方スペーサ７０、および、後方スペーサ８０の位置決め構造は、底フレーム１２の側壁部分１２ｂの壁面に接触させることによる面接触での位置決め構造であり、例えば底フレーム１２の側壁部分１２ｂにスペーサの一部を引っ掛けるような位置決め構造ではないため、スペーサがちぎれたり裂けたりすることがない。このため、長期にわたり安定的にスペーサとしての機能を果たすことが可能になっている。
【０１０２】
（６−２）
特に、コーナースペーサ６０には、位置決め部６２の裏面側において、底フレーム１２から上方に膨出した底フレーム膨出部４０を少なくとも３方向から覆うように構成された形状が採用されている。このため、コーナースペーサ６０の位置決め部６２の裏面側と底フレーム膨出部４０とは、当該３方向それぞれを法線とする接触面が存在していることになる。ここで、この３つの接触面のうちのいずれか１つの接触面においてずれる方向の力が作用したとしても、他の２つの接触面がこのずれを防止させることができる。したがって、コーナースペーサ６０は、底フレーム１２に対して、よりいっそうずれにくくすることができている。
【０１０３】
また、コーナースペーサ６０の位置決め部６２は、室外熱交換器２０を載置させる本体部６１から延伸して連絡傾斜部６３を介して一体に構成されている。このため、底フレーム１２のうち室外熱交換器２０を載置させる部分近傍に位置決めの基準となるような形状部分が存在しない場合であっても、位置決めの基準となる形状部分が存在する場所まで延伸させることによって、位置決め機能を確保することが可能になっている。
【０１０４】
（６−３）
また、前方スペーサ７０には、底フレーム１２の側壁部分１２ｂ（左側壁５３、前側壁５４）の高さよりもさらに高い位置まで延び出した部分（位置決め部７２の上面７５）を有している。これにより、底フレーム１２にコーナースペーサ６０、前方スペーサ７０、および、後方スペーサ８０が配置された状態で室外熱交換器２０を載置させる作業を行う場合に、室外熱交換器２０の下端が底フレーム１２の側壁部分１２ｂ（左側壁５３、前側壁５４）に触れて損傷してしまうことを防ぎやすくすることができている。
【０１０５】
（７）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【０１０６】
（７−１）他の実施形態Ａ
上記実施形態では、室外熱交換器２０がコーナースペーサ６０のコーナー載置面６１ａ上に載置される場合について例に挙げて説明した。
【０１０７】
これに対して、例えば、室外熱交換器２０は、その湾曲部分の下端の一部がコーナースペーサ６０の連絡傾斜上面６３ａの下端近傍に当接するように配置されていてもよい。この場合には、傾斜して設けられている連絡傾斜上面６３ａの一部に対して室外熱交換器２０の加重が加わることで、コーナースペーサ６０自体は左後ろ側に押されることになる。このようにコーナースペーサ６０が左後ろ側に押された状態では、コーナースペーサ６０は、底フレーム１２の第１コーナー側壁５１および第２コーナー側壁５２からの反力を受ける状態となり、コーナースペーサ６０の底フレーム１２に対する移動をより効果的に抑制することも可能になる。また、この場合には、上述した底フレーム膨出部４０がコーナースペーサ６０の位置決め部６２の裏面縁部分によって覆われている構造を採用しない場合であっても、コーナースペーサ６０の移動を抑制することができる。
【０１０８】
（７−２）他の実施形態Ｂ
上記実施形態では、（Ａ）第１コーナー接触面６４と底フレーム１２の第１コーナー側壁５１とが接触しつつ第２コーナー接触面６５と底フレーム１２の第２コーナー側壁５２とが接触している構造による位置決めと、（Ｂ）底フレーム１２から上方に膨出した底フレーム膨出部４０が位置決め部６２によって上から覆われている構造による位置決めと、の両方の構造によってコーナースペーサ６０が底フレーム１２に対して位置決めされている場合を例に挙げて説明した。
【０１０９】
これに対して、コーナースペーサ６０の底フレーム１２に対する位置を定めるためには、上記（Ａ）と上記（Ｂ）のいずれかの構造を有していれば十分であり、例えば、上記（Ａ）の構造のみによって底フレーム１２に対する位置が定められていてもよいし、上記（Ｂ）の構造のみによって底フレーム１２に対する位置が定められていてもよい。
【０１１０】
コーナースペーサ６０が上記（Ａ）の構造のみによって底フレーム１２に対する位置が定められている場合には、例えば、底フレーム１２において内側傾斜面４８や角平面４９や底フレーム膨出部４０が形成されておらずフラットに構成されており、コーナースペーサ６０についても連絡傾斜部６３や位置決め部６２の裏面側の凹凸形状が形成されておらずフラットに構成されていてもよい。
【０１１１】
コーナースペーサ６０が上記（Ｂ）の構造のみによって底フレーム１２に対する位置が定められている場合には、例えば、コーナースペーサ６０の位置決め部６２の後側端部や左側端部が底フレーム１２の側面部分１２ｂに接することなく、底フレーム１２の側面部分１２ｂの手前までしか延びていないように構成されていてもよい。
【０１１２】
（７−３）他の実施形態Ｃ
上記実施形態では、底フレーム１２から上方に膨出した底フレーム膨出部４０を、コーナースペーサ６０の位置決め部６２が上から覆うことで、コーナースペーサ６０の底フレーム１２に対する位置を定める場合を例に挙げて説明した。
【０１１３】
これに対して、コーナースペーサと底フレームとの関係は逆であってもよい。
【０１１４】
すなわち、下方に膨出した膨出部がコーナースペーサに設けられており、当該コーナースペーサの膨出部を、底フレームにおいて下方に凹むように構成された部分で下方から覆うことで、コーナースペーサの底フレームに対する位置を定めてもよい。
【０１１５】
（７−４）他の実施形態Ｄ
上記実施形態では、底フレーム１２から上方に膨出した底フレーム膨出部４０が、コーナースペーサ６０の位置決め部６２によって上から覆われている構造を例に挙げて説明した。
【０１１６】
これに対して、例えば、上面図である図１６、図１６のＸ−Ｘ断面図を含む概略外観斜視図である図１７、裏面側の概略外観斜視図である図１８、上面側の概略外観斜視図である図１９に示すように、位置決め開口が形成された底フレーム２１２に対して、位置決め膨出部２６９を有するコーナースペーサ２６０を位置決めさせた構造としてもよい。なお、以下の説明において上記実施形態と同様である点については説明を省略する。
【０１１７】
ここで、底フレーム１２には、内側傾斜面４８の上端において広がる角平面４９からさらに上方に膨出した底フレーム膨出部２４０が形成されている。そして、当該底フレーム膨出部２４０の中心近傍には板厚方向に貫通した底フレーム開口２４０ｘが形成されている。この底フレーム開口２４０ｘは、平面視円弧形状の開口が上下方向に延びるようにして円筒状に形成されている。
【０１１８】
ここで、コーナースペーサ２６０は、本体部６１と位置決め部２６２を有している。本体部６１は、上記実施形態と同様に室外熱交換器２０を載置する。位置決め部２６２は、本体部６１から延伸された部分であり、底フレーム１２の内側傾斜面４８を沿うように伸びる連絡傾斜部６３を有している。位置決め部２６２は、底フレーム１２の側面部分１２ｂの手前まで延びている。そして、位置決め部２６２は、下面側からさらに下方に向けて膨出した位置決め膨出部２６９を有している。
【０１１９】
設置状態では、位置決め部２６２の位置決め膨出部２６９は、底フレーム１２の底フレーム開口２４０ｘを上側から貫通するように挿入される。この設置状態では、位置決め部２６２の位置決め膨出部２６９の周囲は、円筒形状の底フレーム開口２４０ｘの内周面によって覆われる。
【０１２０】
この場合であっても、底フレーム１２に対するコーナースペーサ２６０の位置を定めることが可能になる。また、ここでは、底フレーム１２の内側傾斜面４８を沿うように連絡傾斜部６３が設けられているため、円筒形状の底フレーム開口２４０ｘに位置決め膨出部２６９が挿入されている場合であっても、コーナースペーサ２６０は回転が規制されている。
【０１２１】
なお、上記例では、底フレーム開口２４０ｘが円筒形状である場合を説明したが、例えば、底フレーム開口が三角筒形状等の多角筒形状の開口であり、位置決め膨出部が対応する多角柱となるように構成されていてもよい。この場合には、円筒形状ではないため、連絡傾斜部６３が底フレーム１２の内側傾斜面４８に沿うように設けられていない場合であっても、位置決め膨出部が底フレーム開口に対して回転することがなく、位置決めすることができる。
【符号の説明】
【０１２２】
１      空気調和装置（冷凍装置）
２      空調室外機（室外ユニット）
３      空調室内機
１０    ユニットケーシング（筐体）
１２    底フレーム
１２ａ  底部分
１２ｂ  側壁部分
１２ｘ  排水口
１２ｙ  排水面
１３  送風機室側の側板（側フレーム）
１４  機械室側の側板（側フレーム）
２０    室外熱交換器（熱交換器）
２１    熱交換部
２１ａ  伝熱フィン
２１ｂ  扁平多穴管
２７  風上側熱交換部
２８  風下側熱交換部
４０  底フレーム膨出部
４１  第１膨出傾斜面
４２  第２膨出傾斜面
４３  第３膨出傾斜面
５１  第１コーナー側壁（第１部分、側壁部分）
５２  第２コーナー側壁（第２部分、側壁部分）
５３  左側壁（第１部分、側壁部分）
５４  前側壁（第２部分、側壁部分）
５５  第１後側壁（第１部分、側壁部分）
５６  第２後側壁（第２部分、側壁部分）
５７  第３後側壁
６０  コーナースペーサ（スペーサ）
６１  本体部
６１ｂ  下面
６１ｃ  排水ガイド（排水用の溝）
６２  位置決め部
６２ｘ  凹部
６３  連絡傾斜部
６４  第１コーナー接触面（第１接触面）
６５  第２コーナー接触面（第２接触面）
７０  前方スペーサ（スペーサ）
７１  本体部
７１ｂ  第１排水溝
７２ｃ  第２排水溝
７２  位置決め部
７５  上面
７７  第１前側接触面（第１接触面）
７８  第２前側接触面（第２接触面）
８０  後方スペーサ（スペーサ）
８１  本体部
８１ｂ  第１排水孔（排水用の孔）
８１ｃ  第２排水孔（排水用の孔）
８２  位置決め部
８３  第１後側接触面（第１接触面）
８４  第２後側接触面（第２接触面）
８５  第３後側接触面
８６  螺子カバー
８７  凹部
９８  螺子（締結部材）
９９  螺子（締結部材）
２４０  底フレーム膨出部
２４０ｘ  底フレーム開口
２６０  コーナースペーサ（位置決め膨出部）
２６２  位置決め部
２６９  位置決め膨出部
【先行技術文献】
【特許文献】
【０１２３】
【特許文献１】特開２０１０−１５１３８７号公報
【図１】
2020204462.tif 000003
【図２】
2020204462.tif 000004
【図３】
2020204462.tif 000005
【図４】
2020204462.tif 000006
【図５】
2020204462.tif 000007
【図６】
2020204462.tif 000008
【図７】
2020204462.tif 000009
【図８】
2020204462.tif 000010
【図９】
2020204462.tif 000011
【図１０】
2020204462.tif 000012
【図１１】
2020204462.tif 000013
【図１２】
2020204462.tif 000014
【図１３】
2020204462.tif 000015
【図１４】
2020204462.tif 000016
【図１５】
2020204462.tif 000017
【図１６】
2020204462.tif 000018
【図１７】
2020204462.tif 000019
【図１８】
2020204462.tif 000020
【図１９】
2020204462.tif 000021
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
金属によって構成されている熱交換器（２０）と、
前記熱交換器とは異なる種類の金属によって構成されている底フレーム（１２）を有し、前記熱交換器を内部に収容する筐体（１０）と、
設置状態における前記熱交換器と前記底フレームとの間に介在する絶縁性を有するスペーサ（６０、７０、８０）と、
を備え、
前記スペーサは、前記熱交換器が上に載置する本体部（６１、７１、８１）と、前記本体部から延伸した部分である位置決め部（６２、７２、８２）と、を有し、
前記底フレームから上方に向けて膨出した底フレーム膨出部（４０）を前記底フレームが有しており、
前記位置決め部の全体は、上面視において前記熱交換器と重なっておらず、
前記位置決め部は、上面視において少なくとも３方向から前記底フレーム膨出部を覆う形状を有している、
冷凍装置（１）の室外ユニット（２）。
【請求項２】
前記底フレームは、底部分（１２ａ）と、前記底部分の周縁に立設された側壁部分（１２ｂ、５１、５２、５３、５４）と、を有し、
前記スペーサの前記位置決め部（６２、７２、８２）は、前記底フレームの側壁部分（１２ｂ、５１、５２、５３、５４）と接する部分を有している、
請求項１に記載の冷凍装置の室外ユニット。
【請求項３】
前記底フレームは、底部分（１２ａ）と、前記底部分の周縁に立設された側壁部分（１２ｂ、５３、５４）と、を有し、
前記位置決め部（７２）は、前記底フレームの前記側壁部分（５３、５４）よりも高い位置まで延びた部分（７５）を有している、
請求項１に記載の冷凍装置の室外ユニット。
【請求項４】
前記位置決め部は、前記本体部よりも上方に位置する、
請求項１から３のいずれか１項に記載の冷凍装置の室外ユニット。
【請求項５】
前記筐体は、前記底フレームに対して締結部材（９８、９９）によって取り付けられる側フレーム（１３、１４）をさらに有しており、
前記スペーサは、設置状態の上面視において前記締結部材の一部と重複する位置に設けられており、
前記スペーサは、前記締結部材との接触を回避するための凹部（６２ｘ、８７）を有している、
請求項１から４のいずれか１項に記載の冷凍装置の室外ユニット。
【請求項６】
前記スペーサは、下面（６１ｂ）における排水用の溝（６１ｃ）と上下方向に貫通した排水用の孔（８１ｂ、８１ｃ）との少なくともいずれか一方を有している、
請求項１から５のいずれか１項に記載の冷凍装置の室外ユニット。
【手続補正２】
【補正対象書類名】明細書
【補正対象項目名】全文
【補正方法】変更
【補正の内容】
【発明の詳細な説明】
【技術分野】
【０００１】
本発明は、冷凍装置の室外ユニットに関する。
【背景技術】
【０００２】
従来より、空気調和装置の室外機等において、底板とその上に載置されている熱交換器とが異種金属で構成されている場合に、水などが両者の間に介在することで電気的な腐食が生じることが知られている。
【０００３】
これに対して、例えば、特許文献１（特開２０１０−１５１３８７号公報）に記載の空気調和機の室外機では、底板と熱交換器との間に絶縁性のスペーサを配置することで、腐食を抑制することを提案している。
【発明の開示】
【発明が解決しようとする課題】
【０００４】
ここで、上述のような特許文献１に示された室外機では、底板と熱交換器との間に介在するスペーサは、単に底板の上に配置されているに過ぎず、底板に対するスペーサの位置が固定されていない。このため、室外機の搬送時等のように振動が加わる場合には、スペーサが底板に対して移動してしまい、熱交換器の位置が安定せず、熱交換器の接続箇所等に応力負荷がかかってしまうおそれがある。
【０００５】
また、上述の特許文献１に記載の例には、熱交換器の伝熱管が延びている方向と平行に凸部が延びている底板に対して、同じく長手方向に凹部が延びているスペーサを嵌め込んでいる例が紹介されている。ところが、この場合においても、やはり振動によってスペーサが当該長手方向に平行な方向に移動してしまうおそれがある。
【０００６】
本発明は上述した点に鑑みてなされたものであり、本発明の課題は、熱交換器と底フレームとの間の腐食を抑制させる部材を用いる場合であっても当該部材の位置を定めることが可能な冷凍装置の室外ユニットを提供することにある。
【課題を解決するための手段】
【０００７】
第１観点に係る冷凍装置の室外ユニットは、熱交換器と、筐体と、スペーサと、を備えている。熱交換器は、金属によって構成されている。筐体は、熱交換器とは異なる種類の金属によって構成されている底フレームを有しており、熱交換器を内部に収容する。スペーサは、設置状態における熱交換器と底フレームとの間に介在しており、絶縁性を有している。底フレームは、第１部分と第２部分を有している。スペーサは、熱交換器が上に載置する本体部と、本体部から延伸した部分である位置決め部と、を有している。スペーサは、熱交換器が上に載置する本体部と、本体部から延伸した部分である位置決め部と、を有している。底フレームは、底フレームから上方に向けて膨出した底フレーム膨出部を有している。位置決め部の全体は、上面視において熱交換器と重なっていない。位置決め部は、上面視において少なくとも３方向から底フレーム膨出部を覆う形状を有している。
【０００８】
なお、位置決め部が上面視において少なくとも３方向から底フレーム膨出部を覆う場合には、当該３方向のうちの各方向を法線とする３つの面によって底フレーム膨出部が囲まれることになる。ここで、３つの面によって底フレーム膨出部が囲まれる場合や３つの面によって位置決め膨出部が囲まれる場合は、曲面と曲面で接していてもよいし、曲面と平面で接していてもよいし、曲面と点（例えば突起形状の先端部分）で接していてもよいし、平面と点で接触していてもよいし、平面と平面で接触していてもよいが、なかでも平面と平面で接触している方が好ましい。また、これらの３方向のそれぞれにおいて接触の仕方は互いに同じであっても異なっていてもよく、例えば、３方向のうちの２方向が曲面と曲面、平面と平面または曲面と平面で接触しており、他の１方向が曲面と点又は平面と点で接触していてもよい。
【０００９】
なお、筐体と熱交換器はそれぞれ一種類の金属によって構成されている必要はなく、特に筐体と熱交換器とが互いに近接している部分が異なる金属によって構成されていてよい。
【００１０】
この冷凍装置の室外ユニットでは、筐体と熱交換器とが異なる種類の金属によって構成されているが、両者の間に絶縁性を有するスペーサが配置されている。このため、互いに両者の電気的な腐食を抑制することができている。しかも、スペーサは、熱交換器が載置される本体部から延伸した位置決め部を有しており、底フレームに対するスペーサの位置を定めることができる。スペーサの位置決め部が底フレームの上方に向けて膨出した底フレーム膨出部を上面視において少なくとも３方向から覆うことで、設置状態の上面視における底フレームに対するスペーサの相対移動が規制されている。このため、スペーサは底フレームに対して重力に逆らうように上方に持ち上げられなければ移動しないため、スペーサの移動を十分に規制することが可能になる。これにより、室外ユニットの搬送時等において、スペーサのずれを抑制させることができる。したがって、熱交換器と底フレームとの間の腐食を抑制しつつ、底フレームに対するスペーサの移動も抑制することができる。
【００１１】
第２観点に係る冷凍装置の室外ユニットは、第１観点に係る冷凍装置の室外ユニットであって、底フレームは、底部分と、底部分の周縁に立設された側壁部分と、を有している。スペーサの位置決め部は、底フレームの側壁部分と接する部分を有している。
【００１２】
この冷凍装置の室外ユニットでは、スペーサの位置決め部が底フレームの周縁に立設された側壁部分に接する部分を有していることから、スペーサのずれをより効果的に抑制させることが可能になる。
【００１３】
第３観点に係る冷凍装置の室外ユニットは、第１観点または第２観点に係る冷凍装置の室外ユニットであって、底フレームは、底部分と、底部分の周縁に立設された側壁部分と、を有している。位置決め部は、底フレームの側壁部分よりも高い位置まで延びた部分を有している。
【００１４】
この冷凍装置の室外ユニットでは、位置決め部が、底フレームの側壁部分よりも高い位置まで延びた部分を有しているため、熱交換器を底フレームに設置する際に、熱交換器の底部分はスペーサの位置決め部の上方部分に当たることで底フレームの側壁部分の上端に当たることが避けられる。これにより、熱交換器の底部分が底フレームの側壁部分に当たることによる損傷を抑制することが可能になる。
【００１５】
第４観点に係る冷凍装置の室外ユニットは、第１観点から第３観点のいずれかに係る冷凍装置の室外ユニットであって、位置決め部は、本体部よりも上方に位置する。
【００１６】
第５観点に係る冷凍装置の室外ユニットは、第１観点から第４観点のいずれかに係る冷凍装置の室外ユニットであって、筐体は、底フレームに対して締結部材によって取り付けられる側フレームをさらに有している。スペーサは、設置状態の上面視において締結部材の一部と重複する位置に設けられている。スペーサは、締結部材との接触を回避するための凹部を有している。
【００１７】
この冷凍装置の室外ユニットでは、底フレームと側フレームとを締結部材によって固定する場合において、締結部材がスペーサの近傍にまで延び出している場合であっても、スペーサが凹部を有していることにより締結部材との干渉を抑制させることが可能になる。
【００１８】
第６観点に係る冷凍装置の室外ユニットは、第１観点から第５観点のいずれかに係る冷凍装置の室外ユニットであって、スペーサは、下面における排水用の溝と上下方向に貫通した排水用の孔との少なくともいずれか一方を有している。
【００１９】
この冷凍装置の室外ユニットでは、熱交換器を種類の異なる金属で構成されている底フレームに対してスペーサを介して固定している場合であっても、電気的な腐食を抑制させつつ、当該スペーサにおいて排水用の水を通過させることが可能になる。
【発明の効果】
【００２０】
第１観点に係る冷凍装置の室外ユニットでは、熱交換器と底フレームとの間の腐食を抑制しつつ、底フレームに対するスペーサの移動も抑制することができる。
【００２１】
第２観点に係る冷凍装置の室外ユニットでは、スペーサのずれをより効果的に抑制させることが可能になる。
【００２２】
第３観点に係る冷凍装置の室外ユニットでは、熱交換器の底部分が底フレームの側壁部分に当たることによる損傷を抑制することが可能になる。
【００２３】
第５観点に係る冷凍装置の室外ユニットでは、締結部材とスペーサとの干渉を抑制させることが可能になる。
【００２４】
第６観点に係る冷凍装置の室外ユニットでは、電気的な腐食を抑制させつつ、当該スペーサにおいて排水用の水を通過させることが可能になる。
【図面の簡単な説明】
【００２５】
【図１】一実施形態に係る空気調和装置の構成の概要を説明するための回路図。
【図２】空調室外機の外観を示す斜視図。
【図３】空調室外機の各機器の配置を説明する概略平面図。
【図４】底フレームの概略外観斜視図。
【図５】室外熱交換器の概略外観斜視図。
【図６】室外熱交換器における伝熱フィンの扁平多穴管に対する取付状態を示す概略断面図。
【図７】底フレームの平面視概略構成図。
【図８】底フレームにスペーサが配置された状態の平面視概略構成図。
【図９】底フレーム上に配置されたスペーサ上に室外熱交換器が載置された状態の上面視概略構成図。
【図１０】底フレームの角部分周辺の概略外観斜視図。
【図１１】コーナースペーサの背面側の概略外観斜視図。
【図１２】底フレームに対してコーナースペーサが取り付けられている状態の概略外観斜視図。
【図１３】底フレームに対して前方スペーサが取り付けられている状態の外観斜視図。
【図１４】底フレームに対して後方スペーサが取り付けられている状態の外観斜視図。
【図１５】後方スペーサの概略外観斜視図。
【図１６】他の実施形態に係るコーナースペーサを用いた設置状態の上面視概略構成図。
【図１７】他の実施形態に係るコーナースペーサを用いた設置状態の図１６におけるＸ−Ｘ断面を含む概略外観斜視図。
【図１８】他の実施形態に係るコーナースペーサの裏面側の概略外観斜視図。
【図１９】他の実施形態に係るコーナースペーサの上面側の概略外観斜視図。
【発明を実施するための形態】
【００２６】
（１）空気調和装置１の全体構成
図１は、本発明の一実施形態に係る冷凍装置としての空気調和装置１の構成の概要を示す回路図である。
【００２７】
空気調和装置１は、蒸気圧縮式の冷凍サイクル運転を行うことによって空調室内機３が設置されている建物内の冷暖房に使用される装置であり、熱源側ユニットとしての空調室外機２と、利用側ユニットとしての空調室内機３とが冷媒連絡配管６，７で接続されて構成されている。
【００２８】
空調室外機２と空調室内機３と冷媒連絡配管６，７とが接続されて構成される冷媒回路は、圧縮機９１、四路切換弁９２、室外熱交換器２０、膨張弁３３、室内熱交換器４およびアキュムレータ９３などが冷媒配管で接続されることで構成されている。この冷媒回路内には冷媒が封入されており、冷媒が圧縮され、冷却され、減圧され、加熱・蒸発された後に、再び圧縮されるという冷凍サイクル運転が行われるようになっている。冷媒としては、例えば、Ｒ４１０Ａ、Ｒ３２、Ｒ４０７Ｃ、Ｒ２２、Ｒ１３４ａなどから選択されたものが用いられる。
【００２９】
（２）空気調和装置１の詳細構成
（２−１）空調室内機３
空調室内機３は、室内の壁面に壁掛け等により、又は、ビル等の室内の天井に埋め込みや吊り下げ等により設置される。空調室内機３は、室内熱交換器４と、室内ファン５とを有している。室内熱交換器４は、例えば伝熱管と多数のフィンとにより構成されたクロスフィン式のフィン・アンド・チューブ型熱交換器であり、冷房運転時には冷媒の蒸発器として機能して室内空気を冷却し、暖房運転時には冷媒の凝縮器として機能して室内空気を加熱する熱交換器である。
【００３０】
（２−２）空調室外機２
空調室外機２は、ビル等の室外に設置されており、冷媒連絡配管６，７を介して空調室内機３に接続される。空調室外機２は、図２および図３に示されているように、略直方体状のユニットケーシング１０を有している。
【００３１】
図３に示されているように、空調室外機２は、ユニットケーシング１０の内部空間を鉛直方向に延びる仕切板１８で二つに分割することによって送風機室Ｓ１と機械室Ｓ２とを形成した構造（いわゆる、トランク型構造）を有するものである。空調室外機２は、ユニットケーシング１０の送風機室Ｓ１内に配置された室外熱交換器２０および室外ファン９５を有しており、ユニットケーシング１０の機械室Ｓ２内に配置された圧縮機９１、四路切換弁９２、アキュムレータ９３、膨張弁３３、ガス冷媒配管３１、および、液冷媒配管３２を有している。
【００３２】
ユニットケーシング１０は、底フレーム１２と、天板１１と、送風機室側の側板１３と、機械室側の側板１４と、送風機室側前板１５と、機械室側前板１６と、を備えて、筐体を構成している。このユニットケーシング１０を構成している底フレーム１２と、天板１１と、送風機室側の側板１３と、機械室側の側板１４と、送風機室側前板１５と、機械室側前板１６とは、いずれもアルミニウムおよびアルミニウム合金以外の同種又は異種の金属によって構成されており、本実施形態においては鉄を主成分として構成される合金が用いられている。なお、これらの金属は表面がメッキ加工されていてもよく、その場合にはアルミニウムおよびアルミニウム合金以外の金属によってメッキ加工される。
【００３３】
以下、送風機室側前板１５および機械室側前板１６が広がる面の法線方向であって、送風機室側前板１５および機械室側前板１６に対してユニットケーシング１０の内部とは反対側の向きを、特に断らない限り、「前」とし、その反対側を「後」とする。また、「左」、「右」、「上」、「下」は、いずれも設置状態における当該前側から見た場合における向きを意味することとする。
【００３４】
底フレーム１２は、底フレームの概略外観斜視図である図４に示すように、ユニットケーシング１０の底を構成する底部分１２ａと、底部分１２ａの周縁において立設するように設けられた側壁部分１２ｂとを有している。送風機室側の側板１３、機械室側の側板１４、送風機室側前板１５、および、機械室側前板１６は、いずれも下端部分が底フレーム１２の側壁部分１２ｂの外側と面接触した状態でビス等によって固定されている。
【００３５】
空調室外機２は、ユニットケーシング１０の背面および側面の一部からユニットケーシング１０内の送風機室Ｓ１に室外空気を吸い込んで、吸い込んだ室外空気をユニットケーシング１０の前面から吹き出すように構成されている。具体的には、ユニットケーシング１０内の送風機室Ｓ１に対する吸込口１０ａおよび吸込口１０ｂが、送風機室側の側板１３の背面側の端部１３ａと機械室側の側板１４の送風機室Ｓ１側の端部１４ａとにわたって形成されている。また、吹出口１０ｃは、送風機室側前板１５に設けられており、その前側がファングリル１５ａによって覆われている。
【００３６】
圧縮機９１は、例えば圧縮機用モータによって駆動される密閉式圧縮機であり、インバータ制御によって運転容量を変化させることができるよう構成されている。
【００３７】
四路切換弁９２は、冷媒の流れの方向を切り換えるための機構である。冷房運転時には、四路切換弁９２は、圧縮機９１の吐出側の冷媒配管と室外熱交換器２０の一端（ガス側端部）から延びるガス冷媒配管３１とを接続するとともに、アキュムレータ９３を介してガス冷媒の冷媒連絡配管７と圧縮機９１の吸入側の冷媒配管とを接続する（図１の四路切換弁９２の実線を参照）。また、暖房運転時には、四路切換弁９２は、圧縮機９１の吐出側の冷媒配管とガス冷媒の冷媒連絡配管７とを接続するとともに、アキュムレータ９３を介して圧縮機９１の吸入側と室外熱交換器２０の一端（ガス側端部）から延びるガス冷媒配管３１とを接続する（図１の四路切換弁９２の破線を参照）。
【００３８】
室外熱交換器２０は、送風機室Ｓ１に上下方向（鉛直方向）に立てて配置され、吸込口１０ａ，１０ｂに対向している。室外熱交換器２０は、アルミニウム製の熱交換器であり、本実施形態では設計圧力が３ＭＰａ〜４ＭＰａ程度のものを用いている。室外熱交換器２０は、一端（ガス側端部）から、四路切換弁９２と接続されるように、ガス冷媒配管３１が延びている。また、室外熱交換器２０の他端（液側端部）から、膨張弁３３に接続されるように、液冷媒配管３２が延びている。
【００３９】
アキュムレータ９３は、四路切換弁９２と圧縮機９１との間に接続されている。アキュムレータ９３は、冷媒を気相と液相とに分ける気液分離機能を具備している。アキュムレータ９３に流入する冷媒は、液相と気相とに分かれ、上部空間に集まる気相の冷媒が圧縮機９１へと供給される。
【００４０】
室外ファン９５は、室外熱交換器２０を流れる冷媒との間で熱交換をさせるための室外空気を、室外熱交換器２０に対して供給する。
【００４１】
膨張弁３３は、冷媒回路において冷媒を減圧するための機構であり、開度調整が可能な電動弁である。膨張弁３３は、冷媒圧力や冷媒流量の調節を行うために、室外熱交換器２０と液冷媒の冷媒連絡配管６の間に設けられ、冷房運転時および暖房運転時のいずれにおいても、冷媒を膨張させる機能を有している。
【００４２】
室外ファン９５は、送風機室Ｓ１に室外熱交換器２０に対向して配置されている。室外ファン９５は、ユニット内に室外空気を吸入して、室外熱交換器２０において冷媒と室外空気との間で熱交換を行わせた後に、熱交換後の空気を室外に排出する。この室外ファン９５は、室外熱交換器２０に供給する空気の風量を可変することが可能なファンであり、例えば、ＤＣファンモータ等からなるモータによって駆動されるプロペラファン等である。
【００４３】
（３）空気調和装置１の動作
（３−１）冷房運転
冷房運転時は、四路切換弁９２が図１の実線で示される状態、すなわち、圧縮機９１の吐出側がガス冷媒配管３１を介して室外熱交換器２０のガス側に接続され、かつ、圧縮機９１の吸入側がアキュムレータ９３、冷媒連絡配管７を介して室内熱交換器４のガス側に対して接続された状態となっている。膨張弁３３は、室内熱交換器４の出口（すなわち、室内熱交換器４のガス側）における冷媒の過熱度、又は室外熱交換器２０の出口（すなわち、室外熱交換器２０の液側）における過冷却度が一定になるように開度調節される。この冷媒回路の状態で、圧縮機９１、室外ファン９５および室内ファン５を運転すると、低圧のガス冷媒は、圧縮機９１で圧縮されることで高圧のガス冷媒となる。この高圧のガス冷媒は、四路切換弁９２を経由して室外熱交換器２０に送られる。その後、高圧のガス冷媒は、室外熱交換器２０において、室外ファン９５によって供給される室外空気と熱交換を行って凝縮して高圧の液冷媒となる。そして、過冷却状態になった高圧の液冷媒は、室外熱交換器２０から膨張弁３３に送られる。膨張弁３３によって圧縮機９１の吸入圧力近くまで減圧されて低圧の気液二相状態となった冷媒は、室内熱交換器４に送られ、室内熱交換器４において室内空気と熱交換を行って蒸発して低圧のガス冷媒となる。
【００４４】
この低圧のガス冷媒は、冷媒連絡配管７を経由して空調室外機２に送られ、再び、圧縮機９１に吸入される。このように冷房運転では、空気調和装置１は、室外熱交換器２０を圧縮機９１において圧縮される冷媒の凝縮器として、かつ、室内熱交換器４を室外熱交換器２０において凝縮された冷媒の蒸発器として機能させる。
【００４５】
なお、冷房運転時の冷媒回路では、膨張弁３３の過熱度制御が行われつつ、設定温度となるように（冷房負荷を処理できるように）圧縮機９１がインバータ制御されている。
【００４６】
（３−２）暖房運転
暖房運転時は、四路切換弁９２が図１の破線で示される状態、すなわち、圧縮機９１の吐出側が冷媒連絡配管７を介して室内熱交換器４のガス側に接続され、かつ、圧縮機９１の吸入側がガス冷媒配管３１を介して室外熱交換器２０のガス側に接続された状態となっている。膨張弁３３は、室内熱交換器４の出口における冷媒の過冷却度が過冷却度目標値で一定になるように開度調節されるようになっている（過冷却度制御）。この冷媒回路の状態で、圧縮機９１、室外ファン９５および室内ファン５を運転すると、低圧のガス冷媒は、圧縮機９１に吸入されて圧縮されて高圧のガス冷媒となり、四路切換弁９２、および、冷媒連絡配管７を経由して、空調室内機３に送られる。
【００４７】
そして、空調室内機３に送られた高圧のガス冷媒は、室内熱交換器４において、室内空気と熱交換を行って凝縮して高圧の液冷媒となった後、膨張弁３３を通過する際に、膨張弁３３の弁開度に応じて減圧される。この膨張弁３３を通過した冷媒は、室外熱交換器２０に流入する。そして、室外熱交換器２０に流入した低圧の気液二相状態の冷媒は、室外ファン９５によって供給される室外空気と熱交換を行って蒸発して低圧のガス冷媒となり、四路切換弁９２を経由して、再び、圧縮機９１に吸入される。このように暖房運転では、空気調和装置１は、室内熱交換器４を圧縮機９１において圧縮される冷媒の凝縮器として、かつ、室外熱交換器２０を室内熱交換器４において凝縮された冷媒の蒸発器として機能させる。
【００４８】
なお、暖房運転時の冷媒回路では、膨張弁３３の過冷却度制御が行われつつ、設定温度となるように（暖房負荷を処理できるように）圧縮機９１がインバータ制御されている。
【００４９】
（４）室外熱交換器２０の詳細構成
図５に、室外熱交換器２０の概略外観斜視図を示す。また、図６に、伝熱フィン２１ａの扁平多穴管２１ｂに対する取付状態を示す。
【００５０】
室外熱交換器２０は、室外空気と冷媒との熱交換を行わせる熱交換部２１と、この熱交換部２１の一端側に設けられた出入口ヘッダ集合管２６および折返しヘッダ２４と、この熱交換部２１の他端側に設けられた連結ヘッダ２３と、折返しヘッダ２４の下部と折返しヘッダ２４の上部を連結させる連絡部２５と、出入口ヘッダ集合管２６の下方に分流された冷媒を導く分流器２２と、を備えている。
【００５１】
本実施形態において、室外熱交換器２０を構成する各部材は、いずれもアルミニウム製もしくはアルミニウム合金製である。
【００５２】
熱交換部２１は、多数の伝熱フィン２１ａと多数の扁平多穴管２１ｂとで構成されている。伝熱フィン２１ａは、平板部材であり、各伝熱フィン２１ａには水平方向に延びる扁平管挿入用の切り欠き２１ａａが上下方向に並べて複数形成されている。なお、伝熱フィン２１ａは、空気流れの上流側に向けて突出した部分を無数に有するように取り付けられている。
【００５３】
扁平多穴管２１ｂは、伝熱管として機能し、伝熱フィン２１ａと室外空気との間を移動する熱を、内部を流れる冷媒に伝達する。この扁平多穴管２１ｂは、伝熱面となる上下の平面部と、冷媒が流れる複数の流入口２１ｂａを有している。このような形状を有する扁平多穴管２１ｂは、複数設けられており、これら複数が鉛直方向に所定の間隔をあけて配置されている。図６に示すように、これらの複数の扁平多穴管２１ｂには、それぞれ上述した伝熱フィン２１ａの複数の切り欠き２１ａａが嵌め込まれることで伝熱フィン２１ａがロウ付け固定されている。ここで、伝熱フィン２１ａは、複数の扁平多穴管２１ｂに跨がるようにして上下に繋がっているため、伝熱フィン２１ａや扁平多穴管２１ｂで生じた結露水は、伝熱フィン２１ａに沿って下方に滴り落ち、底フレーム１２の排水面１２ｙを伝うように流れた後、排水面１２ｙに形成されている排水口１２ｘを通じて外部に排出される。
【００５４】
なお、この熱交換部２１は、室外ファン９５によって生じる空気流れ方向（筐体の背面および左側面側から筐体の正面のファングリル１５ａに向かう流れ）において、風上側を縁取るように設けられた風上側熱交換部２７と、風下側を縁取るように設けられた風下側熱交換部２８と、を有しており、２列並ぶように構成されている。風上側熱交換部２７は、風上側を縁取るように延びており上下方向に並んだ複数の扁平多穴管２１ｂと、この扁平多穴管２１ｂに固定された伝熱フィン２１ａとを有している。また、風下側熱交換部２８は、同様に、風下側を縁取るように延びており上下方向に並んだ複数の扁平多穴管２１ｂと、この扁平多穴管２１ｂに固定された伝熱フィン２１ａとを有している。
【００５５】
この風上側熱交換部２７と風下側熱交換部２８を有する熱交換部２１は、上面視において、背面側に沿うように左右に伸びる部分と、送風機室側の側方において前後に伸びる部分と、これらを繋ぐ湾曲部分と、によって構成されている。
【００５６】
分流器２２は、液冷媒配管３２と出入口ヘッダ集合管２６の下方部分とを連結させるように接続されており、例えば室外熱交換器２０が冷媒の蒸発器として機能する際には液冷媒配管３２から流れてきた冷媒を高さ方向に分流させて出入口ヘッダ集合管２６の下方部分に導く。
【００５７】
出入口ヘッダ集合管２６は、鉛直方向に延びる筒状部材であり、室外熱交換器２０への冷媒の入口側部分と出口側部分を上下に分けて有している。出入口ヘッダ集合管２６の下方部分は、上述のように液冷媒配管３２に対して分流器２２を介して接続されている。出入口ヘッダ集合管２６の上方部分は、ガス冷媒配管３１に対して接続されている。出入口ヘッダ集合管２６は、略円筒形状に形成されており、上方部分の内部空間と下方部分の内部空間とが内部に設けられたバッフル（図示せず）によって上下に仕切られている。また、出入口ヘッダ集合管２６の下方部分は、分流器２２によって分流された冷媒の分布が維持されるように、複数のバッフルによって上下に仕切られている。すなわち、分流器２２によって上下に分けられた各冷媒流れそれぞれを分けたままで熱交換部２１に流せるように構成されている。
【００５８】
以上の構成により、室外熱交換器２０が冷媒の蒸発器として機能する場合には、液冷媒配管３２と分流器２２と出入口ヘッダ集合管２６の下方部分を介して熱交換部２１に流入して蒸発した冷媒は、出入口ヘッダ集合管２６の上方部分とガス冷媒配管３１を介して室外熱交換器２０の外部に流出していくことになる。なお、室外熱交換器２０が冷媒の放熱器として機能している場合には、上記とは逆の流れになる。
【００５９】
連結ヘッダ２３は、室外熱交換器２０のうち出入口ヘッダ集合管２６や折返しヘッダ２４が設けられている側（図３でいう左上側）の端部とは反対側（図３でいう右下側）に設けられており、風上側熱交換部２７の扁平多穴管２１ｂを流れた冷媒を同じ高さ位置の風下側熱交換部２８の扁平多穴管２１ｂに導くか、風下側熱交換部２８の扁平多穴管２１ｂを流れた冷媒を同じ高さ位置の風上側熱交換部２７の扁平多穴管２１ｂに導くように構成されている。この連結ヘッダ２３では、冷媒の上下方向の移動は生じず、室外熱交換器２０内における冷媒の流路を同じ高さ位置で単に繋ぐ役割を果たしている。
【００６０】
折返しヘッダ２４は、内部が上下方向に複数の空間に仕切られている。このうち、下方の複数の空間は、風下側熱交換部２８のうちの下方の複数の扁平多穴管２１ｂがそれぞれ接続されている。また、上方の複数の空間は、風下側熱交換部２８のうちの上方の複数の扁平多穴管２１ｂがそれぞれ接続されている。
【００６１】
連絡部２５は、折返しヘッダ２４内において上下に仕切られた複数の空間のうち、上方の複数の空間と、下方の複数の空間と、を一対一に接続させる複数の連絡配管を有して構成されている。
【００６２】
この折返しヘッダ２４および連絡部２５の構成によって、例えば室外熱交換器２０が冷媒の蒸発器として機能している場合には、風下側熱交換部２８のうちの下方の複数の扁平多穴管２１ｂを流れて来た冷媒を、風下側熱交換部２８のうちの上方の複数の扁平多穴管２１ｂに流し出して折返しさせることが可能になっている。
【００６３】
（５）底フレーム１２に対する室外熱交換器２０の配置構造
図７に、底フレーム１２の平面視概略構成図を示す。図８に、底フレーム１２にスペーサ６０、７０、８０が配置された状態の平面視概略構成図を示す。図９に、底フレーム１２上に配置されたスペーサ６０、７０、８０上に室外熱交換器２０が載置された状態の平面視概略構成図を示す。
【００６４】
ここでは、これらの図面を参照しつつ、底フレーム１２に対する室外熱交換器２０の配置構造を説明する。
【００６５】
室外熱交換器２０は、図７、図８、図９に示すように、底フレーム１２の上に配置されたスペーサ６０、７０、８０上に載置される。
【００６６】
スペーサ６０、７０、８０は、コーナースペーサ６０と、前方スペーサ７０と、後方スペーサ８０と、を有している。これらのコーナースペーサ６０と、前方スペーサ７０と、後方スペーサ８０と、はいずれも絶縁性の部材によって構成されており、本実施形態ではゴム（具体的にはクロロプレンゴム）によって構成されている。コーナースペーサ６０は、室外熱交換器２０の湾曲部分のうち前方側の部分の下方に配置されている。前方スペーサ７０は、室外熱交換器２０のうちの前方送風機室側の端部の下方に配置されている。後方スペーサ８０は、室外熱交換器２０のうちの出入口ヘッダ集合管２６や折返しヘッダ２４が設けられている側の端部である後方の機械室側の端部に配置されている。
【００６７】
ここで、図７に示すように、底フレーム１２は、送風機室側の側方および後方にＬ字状に広がっており、底部分１２ａのうちで特に低い部分を構成している排水面１２ｙ（図７においてハッチングで示す部分）を有している。この排水面１２ｙには、所定の位置において板厚方向に貫通した複数の排水口１２ｘが設けられている。この排水口１２ｘによって、室外熱交換器２０において生じた結露水を外部に排水させることが可能になっている。
【００６８】
（５−１）コーナースペーサ６０
図１０に、底フレーム１２の角部分周辺の概略外観斜視図を示す。図１１に、コーナースペーサ６０の背面側の概略外観斜視図を示す。図１２に、底フレーム１２に対してコーナースペーサ６０が取り付けられている状態の概略外観斜視図を示す。
【００６９】
底フレーム１２には、以下に説明するように底部分１２ａの板厚方向（上下方向）に突出もしくは陥没した凹凸形状が形成されている。ここで、底部分１２ａの板厚はいずれの部分においても概ね均一であり、底部分１２ａの上面において上方に膨出した形状部分は底部分１２ａの下面側からみると凹んだ形状となっており、逆に、底部分１２ａの上面において下方に凹んだ形状部分は底部分１２ａの下面側からみると膨出した形状となっている。
【００７０】
図１０に示すように、底フレーム１２の角部分周辺には、排水面１２ｙの一部分から左後方に向かうにつれて上方に位置するように広がった内側傾斜面４８が形成されており、当該内側傾斜面４８の上端高さ位置において略三角形状に広がった角平面４９が形成されている。当該角平面４９には、右前面側付近においてさらに上方に膨出した底フレーム膨出部４０が形成されている。なお、この底フレーム膨出部４０は、下方から見ると底フレーム１２の一部を上方に凹ませた形状となっているため、空調室外機２を運搬する際に指を入れることのできる取手として機能させることも可能になっている。
【００７１】
底フレーム膨出部４０の上端には、水平方向に広がる膨出上面４０ａが形成されている。底フレーム膨出部４０は、いずれの側方から見ても、上方に向かうにつれて幅方向の長さが短くなるように構成されており、角平面４９と膨出上面４０ａとを繋ぐ第１膨出傾斜面４１、第２膨出傾斜面４２、および、第３膨出傾斜面４３を有している。第１膨出傾斜面４１は、底フレーム膨出部４０の後側の傾斜面を構成しており、法線が後ろ上方を向くように広がっている。第２膨出傾斜面４２は、底フレーム膨出部４０の左側の傾斜面を構成しており、法線が左上方を向くように広がっている。第３膨出傾斜面４３は、底フレーム膨出部４０の右前側の傾斜面を構成しており、法線が右前上方を向くように広がっている。これらの第１膨出傾斜面４１、第２膨出傾斜面４２、および、第３膨出傾斜面４３は、いずれも互いに非平行の関係にあり、いずれも曲面を介してなだらかに繋がっている。
【００７２】
この第１膨出傾斜面４１、第２膨出傾斜面４２、および、第３膨出傾斜面４３は、上面視において略三角形状となるように構成されており、これらの各傾斜面のそれぞれが、各傾斜面の法線方向からコーナースペーサ６０の位置決め部６２の裏面側によって覆われることになる。また、第１膨出傾斜面４１、第２膨出傾斜面４２、および、第３膨出傾斜面４３の各傾斜面の水平面に対する角度（底フレーム膨出部４０の下面側における水平面に対する角度）は特に限定されず、例えば、３０度以上１２０度以下程度であることが好ましく、本実施形態では６０度程度となっている。
【００７３】
また、底フレーム１２の角部分周辺には、上述した周縁において立設された側壁部分１２ｂである第１コーナー側壁５１、および、第２コーナー側壁５２が形成されている。第１コーナー側壁５１は、法線が前後方向を向くように広がっている。第２コーナー側壁５２は、法線が左右方向を向くように広がっている。第１コーナー側壁５１の左側端部と第２コーナー側壁５２の後側端部とは、曲面によってなだらかに繋がれている。第１コーナー側壁５１および第２コーナー側壁５２の送風機室内側の面は、互いに非平行の関係にある。これらの第１コーナー側壁５１および第２コーナー側壁５２の送風機室内側の面は、それぞれが、コーナースペーサ６０の位置決め部６２の端面に当接することで、コーナースペーサ６０の位置を決めている。なお、第１コーナー側壁５１には、送風機室側の側板１３の後側端部の下方部分が板厚方向に貫通する螺子９８によって螺着固定される（図では送風機室側の側板１３を省略して示している。）。
【００７４】
コーナースペーサ６０は、図１１、図１２に示すように、本体部６１と、位置決め部６２を有している。本体部６１は、排水面１２ｙのうち左後ろ側の角部分の上であって排水口１２ｘとは上面視において重複しない位置に配置されている。本体部６１は、室外熱交換器２０の一部を載置させるための水平方向に広がるコーナー載置面６１ａと、排水面１２ｙと接触する下面６１ｂと、を有している。なお、下面６１ｂには、排水面１２ｙが延びる方向に沿うように延びた２本の排水ガイド６１ｃが形成されている。この排水ガイド６１ｃは、下面６１ｂが部分的に上側に凹んだ形状が排水面１２ｙが延びる方向に沿うように延びて構成されている。コーナースペーサ６０の本体部６１の下面には、この排水ガイド６１ｃが形成されているために、底フレーム１２の排水面１２ｙ上において結露水を滞らせることなく排水口１２ｘまで流すことが可能になっている。
【００７５】
位置決め部６２は、位置決め上面６２ａ、位置決め下面６２ｂ、凹部６２ｘ、第１コーナー接触面６４、第２コーナー接触面６５、下方膨出縁部６６、第１被覆面６７、第２被覆面６８、第３被覆面６９、および、連絡傾斜部６３を有している。
【００７６】
位置決め上面６２ａは、設置状態において底フレーム膨出部４０の上側において水平に広がる面であり、コーナー載置面６１ａよりも上側に位置している。位置決め下面６２ｂは、位置決め上面６２ａとは反対側の下方を向いた面であり、設置状態において底フレーム膨出部４０の膨出上面４０ａと対面する面である。凹部６２ｘは、位置決め上面６２ａの縁の一部分が下方に凹んだ形状を有しており、上述の螺子９８による螺着時の螺子９８との干渉を防ぐことが可能な形状となっている。第１コーナー接触面６４は、位置決め部６２に対して本体部６１側とは反対側を向いた面であり、設置状態において後側を向く面である。第２コーナー接触面６５は、位置決め部６２に対して本体部６１側とは反対側を向いた面であり、設置状態において左を向く面である。これらの第１コーナー接触面６４と第２コーナー接触面６５とは、互いに非平行な関係であり、第１コーナー接触面６４の左側端部と第２コーナー接触面６５の後側端部とがなだらかな曲面によって繋がっている。
【００７７】
第１コーナー接触面６４は設置状態において底フレーム１２の第１コーナー側壁５１と接触し、第２コーナー接触面６５は設置状態において底フレーム１２の第２コーナー側壁５２と接触することで、底フレーム１２に対するコーナースペーサ６０の位置が定められている。
【００７８】
下方膨出縁部６６は、位置決め上面６２ａの下方の縁の一部分を縁取るように位置決め下面６２ｂの周りから下方に延び出した膨出部である。下方膨出縁部６６は、本実施形態では、設置状態における右後ろ側部分以外は、底フレーム膨出部４０の周囲を覆うように構成されている。この下方膨出縁部６６の内側には、第１被覆面６７および第２被覆面６８が形成されている。第１被覆面６７は、法線が位置決め部６２の位置決め下面６２ｂの中央付近下方を向くように傾斜しており、周囲となだらかな曲面を介して繋がっている。この第１被覆面６７は、設置状態において、上述した底フレーム膨出部４０の第１膨出傾斜面４１と面接触する。第２被覆面６８は、第１被覆面６７とは非平行であって法線が位置決め部６２の位置決め下面６２ｂの中央付近下方を向くように傾斜しており、周囲となだらかな曲面を介して繋がっている。この第２被覆面６８は、設置状態において、上述した底フレーム膨出部４０の第２膨出傾斜面４２と面接触する。
【００７９】
また、位置決め部６２は、本体部６１側から伸びて来ている連絡傾斜部６３を有している。連絡傾斜部６３は、連絡傾斜上面６３ａおよび連絡傾斜下面６３ｂを有している。連絡傾斜上面６３ａは、上方において広がっている位置決め上面６２ａと、下方において広がっているコーナー載置面６１ａとを繋ぐ傾斜面である。連絡傾斜上面６３ａは、コーナー載置面６１ａよりも上方に延び出すようにコーナー載置面６１ａに繋がっているため、コーナー載置面６１ａ上に載置された室外熱交換器２０の下端部分によってコーナースペーサ６０が室外熱交換器２０側へ移動することが抑制されている。
【００８０】
連絡傾斜下面６３ｂは、連絡傾斜上面６３ａの裏面を構成しており、設置状態において底フレーム膨出部４０の内側傾斜面４８と面接触することが可能な傾斜角度で広がっている。この連絡傾斜部６３の下面側の位置決め部６２側には、第３被覆面６９が形成されている。第３被覆面６９は、法線が位置決め部６２の位置決め下面６２ｂの中央付近下方を向くように傾斜しており、周囲となだらかな曲面を介して繋がっている。この第３被覆面６９は、設置状態において、上述した底フレーム膨出部４０の第３膨出傾斜面４３と面接触する。
【００８１】
（５−２）前方スペーサ７０
図１３に、底フレーム１２に対して前方スペーサ７０が取り付けられている状態の外観斜視図を示す。
【００８２】
前方スペーサ７０は、図７および図８に示すように、底フレーム１２の左前側端部であって、排水面１２ｙの前側端部よりさらに前側に配置されている。
【００８３】
図１３に示すように、前方スペーサ７０は、室外熱交換器２０が載置される本体部７１と、位置決め部７２を有している。
【００８４】
本体部７１は、水平に広がる前側載置面７１ａと、底フレーム１２の上面と接触している下面７１ｄと、第１排水溝７１ｂおよび第２排水溝７１ｃを有している。前側載置面７１ａの上には、設置状態において室外熱交換器２０の左前側端部の下端（具体的には、室外熱交換器２０の連結ヘッダ２３周辺）が載置される。
【００８５】
第１排水溝７１ｂおよび第２排水溝７１ｃは、いずれも前側載置面７１ａの上面から下方に凹んだ溝が前後方向に延びて構成されている。ここで、図９に示すように、設置状態において、第１排水溝７１ｂは室外熱交換器２０の下方に位置しており、第２排水溝７１ｃは室外熱交換器２０の下方から風下側にずれて配置されている。このため、第１排水溝７１ｂは室外熱交換器２０からの結露水をそのまま受けて排水面１２ｙ側に流し、第２排水溝７１ｃは室外熱交換器２０の風下側に到達した結露水を受けて排水面１２ｙ側に流す。
【００８６】
位置決め部７２は、本体部７１の左前側の縁から上方に延びだした部分であり、底フレーム１２の側壁部分１２ｂである左側壁５３と前側壁５４と当接することで前方スペーサ７０を位置決めさせる部分である。位置決め部７２は、左支持面７３、前支持面７４、上面７５、第１前側接触面７７、および、第２前側接触面７８を有している。
【００８７】
左支持面７３は、位置決め部７２の左端部において室外熱交換器２０と左側壁５３との間に介在するように前後方向に延びた部分のうちの右側を向いた面であり、設置状態において室外熱交換器２０を左側方から支持する。前支持面７４は、位置決め部７２の前端部において室外熱交換器２０と前側壁５４との間に介在するように左右方向に延びた部分のうちの後側を向いた面であり、設置状態において室外熱交換器２０を前側方から支持する。上面７５は、上方を向いた平面であり、設置状態において、左側壁５３および前側壁５４の上端よりもさらに上方に位置している。これにより、底フレーム１２に前方スペーサ７０が設置された状態で室外熱交換器２０を前方スペーサ７０の位置決め部７２上に設置しようとする際に、室外熱交換器２０の下端部分が底フレーム１２の左側壁５３や前側壁５４に衝突してしまうことを避けることが可能になっている。
【００８８】
第１前側接触面７７は、左支持面７３の反対側であって左側を向いた側面である。第２前側接触面７８は、前支持面７４の反対側であって前側を向いた側面である。設置状態では、位置決め部７２の第１前側接触面７７は底フレーム１２の左側壁５３と当接し、位置決め部７２の第２前側接触面７８は前側壁５４と当接することで、底フレーム１２に対する前方スペーサ７０の位置が定められている。
【００８９】
なお、図９に示すように、前側壁５４の一部には後側に凹んだ凹部５４ａが形成されており、第２前側接触面７８にも設置状態における対応する位置に後側に凹んだ凹部７８ａが形成されている。設置時にこれらの凹部５４ａおよび凹部７８ａが嵌まり合うことで、底フレーム１２に対する前方スペーサ７０の位置をより効果的に定めることができている。
【００９０】
（５−３）後方スペーサ８０
図１４に、底フレーム１２に対して後方スペーサ８０が取り付けられている状態の外観斜視図を示す。
【００９１】
後方スペーサ８０は、図８、図９および図１４に示すように、底フレーム１２の後右側端部であって、排水面１２ｙの右側端部よりさらに右側に配置されている。
【００９２】
図１５の後方スペーサ８０の概略外観斜視図に示すように、後方スペーサ８０は、室外熱交換器２０が載置される本体部８１と、螺子カバー８６と、位置決め部８２と、を有している。
【００９３】
本体部８１は、水平に広がる後側載置面８１ａと、底フレーム１２の上面と接触している下面８１ｄと、本体部８１の板厚方向（上下方向）に貫通した第１排水孔８１ｂおよび第２排水孔８１ｃを有している。後側載置面８１ａの上には、設置状態において室外熱交換器２０の左前側端部（本実施形態では分流器２２）の下端が載置される。第１排水孔８１ｂおよび第２排水孔８１ｃは、いずれも左右方向に延びるように形成されており、設置状態では分流器２２の下方に位置している。第１排水孔８１ｂおよび第２排水孔８１ｃは、分流器２２の周辺で生じた結露水を、排水面１２ｙ側に向けて送り出すことが可能になっている。
【００９４】
螺子カバー８６は、本体部８１の左右方向の中間位置であって後側端部において内部が空洞の凹部８７になるように上方に膨出した形状を有している。なお、ユニットケーシング１０は、図３および図１４に示すように、右後ろ側部分において、機械室側の側板１４の送風機室Ｓ１側の端部１４ａ近傍が底フレーム１２の側壁部分１２ｂに対して螺子９９で固定される。後方スペーサ８０は、螺子カバー８６の内側の凹部８７を有していることで、当該螺子９９によって固定された状態において、螺子９９と干渉しない。また、螺子９９は、後方スペーサ８０の螺子カバー８６によって覆われるため、他の部材との干渉も防ぐことができている。
【００９５】
位置決め部８２は、本体部８１の後側の縁に設けられており、第１後側接触面８３と、第２後側接触面８４と、第３後側接触面８５と、を有している。第１後側接触面８３は、位置決め部８２のうち最も右側の後方に位置しており、後側を向いている。第２後側接触面８４は、設置状態において、螺子カバー８６よりも右側に位置しており、第１後側接触面８３の左側端部から左側に向かうにつれて前側に向けて延びるように構成されており、左後方を向いている。第３後側接触面８５は、設置状態において、螺子カバー８６よりも左側に位置しており、左右方向に延びており、後側を向いている。ここで、図１４に示すように、底フレーム１２の側壁部分１２ｂのうち、右後ろ側部分には、僅かに後方に向けて盛り上がっている第１後側壁５５と、第１後側壁５５の左側端部から左に向かうにつれて前側に延びてしている第２後側壁５６と、第２後側壁５６の左端部から左方向に延びた第３後側壁５７と、を有して構成されている。後方スペーサ８０は、位置決め部８２の第１後側接触面８３が底フレーム１２の第１後側壁５５と接し、位置決め部８２の第２後側接触面８４が底フレーム１２の第２後側壁５６と接し、位置決め部８２の第３後側接触面８５が底フレーム１２の第３後側壁５７と接することで、底フレーム１２に対する後方スペーサ８０の位置を定めることができている。
【００９６】
（６）本実施形態の特徴
（６−１）
本実施形態では、室外熱交換器２０と底フレーム１２とが異種金属によって構成されている場合において、これらの間に絶縁性を有するゴムで形成されたコーナースペーサ６０、前方スペーサ７０、後方スペーサ８０が介在している。このため、室外熱交換器２０と底フレーム１２との間の電気的な腐食を抑制することができている。
【００９７】
しかも、コーナースペーサ６０、前方スペーサ７０、および、後方スペーサ８０は、室外熱交換器２０が載置される本体部６１、７１、８１から底フレーム１２の側壁部分１２ｂに接する部分まで延び出した位置決め部６２、７２、８３を有している。これにより、コーナースペーサ６０、前方スペーサ７０、および、後方スペーサ８０の底フレーム１２に対する位置を定めることができる。これにより、空調室外機２の輸送時に振動等を受けたとしても、コーナースペーサ６０、前方スペーサ７０、および、後方スペーサ８０は、室外熱交換器２０と底フレーム１２との間に介在した状態を維持しやすくすることができる。
【００９８】
なお、このようなコーナースペーサ６０、前方スペーサ７０、および、後方スペーサ８０は、両面テープ等の接着媒体を用いることなく底フレーム１２に対して位置を定めることができている。
【００９９】
また、コーナースペーサ６０、前方スペーサ７０、および、後方スペーサ８０の位置決め構造は、底フレーム１２の側壁部分１２ｂの壁面に接触させることによる面接触での位置決め構造であり、例えば底フレーム１２の側壁部分１２ｂにスペーサの一部を引っ掛けるような位置決め構造ではないため、スペーサがちぎれたり裂けたりすることがない。このため、長期にわたり安定的にスペーサとしての機能を果たすことが可能になっている。
【０１００】
（６−２）
特に、コーナースペーサ６０には、位置決め部６２の裏面側において、底フレーム１２から上方に膨出した底フレーム膨出部４０を少なくとも３方向から覆うように構成された形状が採用されている。このため、コーナースペーサ６０の位置決め部６２の裏面側と底フレーム膨出部４０とは、当該３方向それぞれを法線とする接触面が存在していることになる。ここで、この３つの接触面のうちのいずれか１つの接触面においてずれる方向の力が作用したとしても、他の２つの接触面がこのずれを防止させることができる。したがって、コーナースペーサ６０は、底フレーム１２に対して、よりいっそうずれにくくすることができている。
【０１０１】
また、コーナースペーサ６０の位置決め部６２は、室外熱交換器２０を載置させる本体部６１から延伸して連絡傾斜部６３を介して一体に構成されている。このため、底フレーム１２のうち室外熱交換器２０を載置させる部分近傍に位置決めの基準となるような形状部分が存在しない場合であっても、位置決めの基準となる形状部分が存在する場所まで延伸させることによって、位置決め機能を確保することが可能になっている。
【０１０２】
（６−３）
また、前方スペーサ７０には、底フレーム１２の側壁部分１２ｂ（左側壁５３、前側壁５４）の高さよりもさらに高い位置まで延び出した部分（位置決め部７２の上面７５）を有している。これにより、底フレーム１２にコーナースペーサ６０、前方スペーサ７０、および、後方スペーサ８０が配置された状態で室外熱交換器２０を載置させる作業を行う場合に、室外熱交換器２０の下端が底フレーム１２の側壁部分１２ｂ（左側壁５３、前側壁５４）に触れて損傷してしまうことを防ぎやすくすることができている。
【０１０３】
（７）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【０１０４】
（７−１）他の実施形態Ａ
上記実施形態では、室外熱交換器２０がコーナースペーサ６０のコーナー載置面６１ａ上に載置される場合について例に挙げて説明した。
【０１０５】
これに対して、例えば、室外熱交換器２０は、その湾曲部分の下端の一部がコーナースペーサ６０の連絡傾斜上面６３ａの下端近傍に当接するように配置されていてもよい。この場合には、傾斜して設けられている連絡傾斜上面６３ａの一部に対して室外熱交換器２０の加重が加わることで、コーナースペーサ６０自体は左後ろ側に押されることになる。このようにコーナースペーサ６０が左後ろ側に押された状態では、コーナースペーサ６０は、底フレーム１２の第１コーナー側壁５１および第２コーナー側壁５２からの反力を受ける状態となり、コーナースペーサ６０の底フレーム１２に対する移動をより効果的に抑制することも可能になる。また、この場合には、上述した底フレーム膨出部４０がコーナースペーサ６０の位置決め部６２の裏面縁部分によって覆われている構造を採用しない場合であっても、コーナースペーサ６０の移動を抑制することができる。
【０１０６】
（７−２）他の実施形態Ｂ
上記実施形態では、（Ａ）第１コーナー接触面６４と底フレーム１２の第１コーナー側壁５１とが接触しつつ第２コーナー接触面６５と底フレーム１２の第２コーナー側壁５２とが接触している構造による位置決めと、（Ｂ）底フレーム１２から上方に膨出した底フレーム膨出部４０が位置決め部６２によって上から覆われている構造による位置決めと、の両方の構造によってコーナースペーサ６０が底フレーム１２に対して位置決めされている場合を例に挙げて説明した。
【０１０７】
これに対して、コーナースペーサ６０の底フレーム１２に対する位置を定めるためには、上記（Ａ）と上記（Ｂ）のいずれかの構造を有していれば十分であり、例えば、上記（Ａ）の構造のみによって底フレーム１２に対する位置が定められていてもよいし、上記（Ｂ）の構造のみによって底フレーム１２に対する位置が定められていてもよい。
【０１０８】
コーナースペーサ６０が上記（Ａ）の構造のみによって底フレーム１２に対する位置が定められている場合には、例えば、底フレーム１２において内側傾斜面４８や角平面４９や底フレーム膨出部４０が形成されておらずフラットに構成されており、コーナースペーサ６０についても連絡傾斜部６３や位置決め部６２の裏面側の凹凸形状が形成されておらずフラットに構成されていてもよい。
【０１０９】
コーナースペーサ６０が上記（Ｂ）の構造のみによって底フレーム１２に対する位置が定められている場合には、例えば、コーナースペーサ６０の位置決め部６２の後側端部や左側端部が底フレーム１２の側壁部分１２ｂに接することなく、底フレーム１２の側壁部分１２ｂの手前までしか延びていないように構成されていてもよい。
【０１１０】
（７−３）他の実施形態Ｃ
上記実施形態では、底フレーム１２から上方に膨出した底フレーム膨出部４０を、コーナースペーサ６０の位置決め部６２が上から覆うことで、コーナースペーサ６０の底フレーム１２に対する位置を定める場合を例に挙げて説明した。
【０１１１】
これに対して、コーナースペーサと底フレームとの関係は逆であってもよい。
【０１１２】
すなわち、下方に膨出した膨出部がコーナースペーサに設けられており、当該コーナースペーサの膨出部を、底フレームにおいて下方に凹むように構成された部分で下方から覆うことで、コーナースペーサの底フレームに対する位置を定めてもよい。
【０１１３】
（７−４）他の実施形態Ｄ
上記実施形態では、底フレーム１２から上方に膨出した底フレーム膨出部４０が、コーナースペーサ６０の位置決め部６２によって上から覆われている構造を例に挙げて説明した。
【０１１４】
これに対して、例えば、上面図である図１６、図１６のＸ−Ｘ断面図を含む概略外観斜視図である図１７、裏面側の概略外観斜視図である図１８、上面側の概略外観斜視図である図１９に示すように、位置決め開口が形成された底フレーム２１２に対して、位置決め膨出部２６９を有するコーナースペーサ２６０を位置決めさせた構造としてもよい。なお、以下の説明において上記実施形態と同様である点については説明を省略する。
【０１１５】
ここで、底フレーム１２には、内側傾斜面４８の上端において広がる角平面４９からさらに上方に膨出した底フレーム膨出部２４０が形成されている。そして、当該底フレーム膨出部２４０の中心近傍には板厚方向に貫通した底フレーム開口２４０ｘが形成されている。この底フレーム開口２４０ｘは、平面視円弧形状の開口が上下方向に延びるようにして円筒状に形成されている。
【０１１６】
ここで、コーナースペーサ２６０は、本体部６１と位置決め部２６２を有している。本体部６１は、上記実施形態と同様に室外熱交換器２０を載置する。位置決め部２６２は、本体部６１から延伸された部分であり、底フレーム１２の内側傾斜面４８を沿うように伸びる連絡傾斜部６３を有している。位置決め部２６２は、底フレーム１２の側壁部分１２ｂの手前まで延びている。そして、位置決め部２６２は、下面側からさらに下方に向けて膨出した位置決め膨出部２６９を有している。
【０１１７】
設置状態では、位置決め部２６２の位置決め膨出部２６９は、底フレーム１２の底フレーム開口２４０ｘを上側から貫通するように挿入される。この設置状態では、位置決め部２６２の位置決め膨出部２６９の周囲は、円筒形状の底フレーム開口２４０ｘの内周面によって覆われる。
【０１１８】
この場合であっても、底フレーム１２に対するコーナースペーサ２６０の位置を定めることが可能になる。また、ここでは、底フレーム１２の内側傾斜面４８を沿うように連絡傾斜部６３が設けられているため、円筒形状の底フレーム開口２４０ｘに位置決め膨出部２６９が挿入されている場合であっても、コーナースペーサ２６０は回転が規制されている。
【０１１９】
なお、上記例では、底フレーム開口２４０ｘが円筒形状である場合を説明したが、例えば、底フレーム開口が三角筒形状等の多角筒形状の開口であり、位置決め膨出部が対応する多角柱となるように構成されていてもよい。この場合には、円筒形状ではないため、連絡傾斜部６３が底フレーム１２の内側傾斜面４８に沿うように設けられていない場合であっても、位置決め膨出部が底フレーム開口に対して回転することがなく、位置決めすることができる。
【符号の説明】
【０１２０】
１      空気調和装置（冷凍装置）
２      空調室外機（室外ユニット）
３      空調室内機
１０    ユニットケーシング（筐体）
１２    底フレーム
１２ａ  底部分
１２ｂ  側壁部分
１２ｘ  排水口
１２ｙ  排水面
１３  送風機室側の側板（側フレーム）
１４  機械室側の側板（側フレーム）
２０    室外熱交換器（熱交換器）
２１    熱交換部
２１ａ  伝熱フィン
２１ｂ  扁平多穴管
２７  風上側熱交換部
２８  風下側熱交換部
４０  底フレーム膨出部
４１  第１膨出傾斜面
４２  第２膨出傾斜面
４３  第３膨出傾斜面
５１  第１コーナー側壁（第１部分、側壁部分）
５２  第２コーナー側壁（第２部分、側壁部分）
５３  左側壁（第１部分、側壁部分）
５４  前側壁（第２部分、側壁部分）
５５  第１後側壁（第１部分、側壁部分）
５６  第２後側壁（第２部分、側壁部分）
５７  第３後側壁
６０  コーナースペーサ（スペーサ）
６１  本体部
６１ｂ  下面
６１ｃ  排水ガイド（排水用の溝）
６２  位置決め部
６２ｘ  凹部
６３  連絡傾斜部
６４  第１コーナー接触面（第１接触面）
６５  第２コーナー接触面（第２接触面）
７０  前方スペーサ（スペーサ）
７１  本体部
７１ｂ  第１排水溝
７２ｃ  第２排水溝
７２  位置決め部
７５  上面
７７  第１前側接触面（第１接触面）
７８  第２前側接触面（第２接触面）
８０  後方スペーサ（スペーサ）
８１  本体部
８１ｂ  第１排水孔（排水用の孔）
８１ｃ  第２排水孔（排水用の孔）
８２  位置決め部
８３  第１後側接触面（第１接触面）
８４  第２後側接触面（第２接触面）
８５  第３後側接触面
８６  螺子カバー
８７  凹部
９８  螺子（締結部材）
９９  螺子（締結部材）
２４０  底フレーム膨出部
２４０ｘ  底フレーム開口
２６０  コーナースペーサ（位置決め膨出部）
２６２  位置決め部
２６９  位置決め膨出部
【先行技術文献】
【特許文献】
【０１２１】
【特許文献１】特開２０１０−１５１３８７号公報